(57)【要約】本開示は、ネットワークエンティティにおける方法、ネットワークエクスポージャエンティティにおける方法、並びにデータ配信設定のための対応するネットワークエンティティ及びネットワークエクスポージャエンティティを提供する。データ配信設定のためのネットワークエンティティの１つの方法は、ネットワークエンティティによってデータが配信されるＵＥのグループを識別する予め定義された外部グループＩＤと、ＵＥのグループへのデータの配信を可能にするＵＥのグループに適用される設定を示す予め定義された設定情報とを設定することと、予め定義された外部グループＩＤ及び設定情報をネットワークエクスポージャエンティティに送信することとを含む。本発明はさらに、対応するコンピュータ可読媒体を提供する。【選択図】図４
2021506147.tif 000002
【特許請求の範囲】
【請求項１】
データ配信設定についてのネットワークエンティティ（５００；６００）における方法（１００）であって、
データが前記ネットワークエンティティによって配信されるユーザ装置（ＵＥ）のグループを識別する予め定義された外部グループＩＤと、ＵＥの前記グループへの前記データの配信を可能にするＵＥの前記グループに適用される設定を示す予め定義された設定情報とを設定することと（Ｓ１０１）、
前記予め定義された外部グループＩＤ及び設定情報をネットワークエクスポージャエンティティ（７００；８００）へ送信することと（１；Ｓ１０３）
を含む、方法。
【請求項２】
請求項１に記載の方法（１００）であって、前記予め定義された外部グループＩＤ及び設定情報は、データ配信設定要求メッセージで送信される、方法。
【請求項３】
請求項２に記載の方法（１００）であって、前記データは非ＩＰデータであり、前記データ配信設定要求メッセージは非ＩＰデータ配信（ＮＩＤＤ）設定要求メッセージである、方法。
【請求項４】
請求項１乃至３の何れか１項に記載の方法（１００）であって、前記ネットワークエンティティ（５００；６００）はサードパーティサービス機能サーバ／アプリケーションサーバ（ＳＣＳ／ＡＳ）（４０１）であり、前記ネットワークエクスポージャエンティティ（７００；８００）は、サービス機能エクスポージャ機能（ＳＣＥＦ）エンティティ又はネットワークエクスポージャ機能（ＮＥＦ）エンティティ（４０３）である、方法。
【請求項５】
データ配信設定についてのネットワークエクスポージャエンティティ（７００；８００）における方法（２００）であって、
データが前記ネットワークエンティティ（７００；８００）によって配信されるユーザ装置（ＵＥ）のグループを識別する予め定義された外部グループＩＤと、ＵＥの前記グループへの前記データの配信を可能にするＵＥの前記グループに適用される設定を示す予め定義された設定情報とをネットワークエンティティ（５００；６００）から受信することと（１；Ｓ２０１）、
前記外部グループＩＤを他のネットワークエンティティ（９００；１０００）へ送信することと（３；Ｓ２０３）
を含む、方法。
【請求項６】
請求項５に記載の方法（２００）であって、ＵＥの前記グループへの前記データの配信を可能にするＵＥの前記グループに適用される前記設定を示す設定情報を記憶することをさらに含む、方法。
【請求項７】
請求項５又は６に記載の方法（２００）であって、さらに、
前記グループのそれぞれのＵＥのＩＤについての情報を前記他のネットワークエンティティ（９００；１０００）から受信することと（５；Ｓ２０５）、
前記グループにおける前記それぞれのＵＥへの前記ネットワークエンティティ（５００；６００）から受信したデータのグループベースの配信に使用可能な前記情報を記憶することと（Ｓ２０７）
を含む、方法。
【請求項８】
請求項７に記載の方法（２００）であって、さらに、
前記グループ内の前記それぞれのＵＥに対して、前記記憶された情報に基づいて前記ネットワークエンティティ（５００；６００）から受信した前記データを送信すること（７；Ｓ２０９）を含む、方法。
【請求項９】
請求項８に記載の方法（２００）であって、前記データは、前記ネットワークエンティティ（５００；６００）からデータ配信設定要求メッセージで受信される、方法。
【請求項１０】
請求項７に記載の方法（２００）であって、
前記情報は、
前記グループの前記それぞれのＵＥの国際モバイル加入者識別子（ＩＭＳＩ）のリスト及びモバイル局サービス総合デジタル網番号（ＭＳＩＳＤＮ）のリスト、又は、
前記グループの前記それぞれのＵＥのＩＭＳＩのリスト及び外部ＩＤのリスト、を含む、方法。
【請求項１１】
請求項１０に記載の方法（２００）であって、前記外部ＩＤのリスト内の前記外部ＩＤは前記外部グループＩＤからマッピングされ、前記ＩＭＳＩのリスト及び前記ＭＳＩＳＤＮのリストは前記他のネットワークエンティティによって、前記外部ＩＤからそれぞれマッピングされる、方法。
【請求項１２】
請求項５乃至１１の何れか１項に記載の方法（２００）であって、前記外部グループＩＤ及び前記設定情報は、データ配信設定要求メッセージで受信され、前記外部グループＩＤは、データ配信承認要求メッセージで送信され、前記グループ内のそれぞれのＵＥのＩＤについての前記設定情報は、データ配信承認応答メッセージで受信する、方法。
【請求項１３】
請求項１２に記載の方法（２００）であって、前記データは非ＩＰデータであり、前記データ配信設定要求メッセージは非ＩＰデータ配信（ＮＩＤＤ）設定要求メッセージであり、前記データ配信承認要求メッセージはＮＩＤＤ承認要求メッセージであり、前記データ配信承認応答メッセージはＮＩＤＤ承認応答メッセージである、方法。
【請求項１４】
請求項５乃至１３の何れか１項に記載の方法（２００）であって、前記ネットワークエクスポージャエンティティ（７００；８００）はサービス能力エクスポージャ機能（ＳＣＥＦ）エンティティ又はネットワークエクスポージャ機能（ＮＥＦ）エンティティ（４０３）であり、前記ネットワークエンティティ（５００；６００）はサードパーティサービス能力サーバ／アプリケーションサーバ（ＳＣＳ／ＡＳ）（４０１）であり、前記他のネットワークエンティティ（９００；１０００）は、ホーム加入者サーバ（ＨＳＳ）（４０５）である、方法。
【請求項１５】
データ配信設定についてのネットワークエンティティ（９００；１０００）における方法（３００）であって、
データが配信されるユーザ装置（ＵＥ）のグループを識別する予め定義された外部グループＩＤを、ネットワークエクスポージャエンティティ（７００；８００）から受信することと（３；Ｓ３０１）、
前記外部グループＩＤに基づいて前記グループ内のそれぞれのＵＥのＩＤについての情報を取得することと
を含む、方法。
【請求項１６】
請求項１５に記載の方法（３００）であって、さらに、
前記グループ内のそれぞれのＵＥのＩＤについての情報を前記ネットワークエクスポージャエンティティ（７００；８００）へ送信すること（５；Ｓ３０５）を含む、方法。
【請求項１７】
請求項１５又は１６に記載の方法（３００）であって、前記外部グループＩＤに基いて前記グループ内のそれぞれのＵＥのＩＤについての前記情報を取得すること（４；Ｓ３０３）は、
前記外部グループＩＤを、前記グループ内のそれぞれのＵＥの外部ＩＤのリストへマッピングすることと、
外部ＩＤの前記リストの前記外部ＩＤを、前記グループの前記それぞれのＵＥの国際モバイル加入者識別子（ＩＭＳＩ）のリスト及びモバイル局サービス総合デジタル網番号（ＭＳＩＳＤＮ）のリストのそれぞれへマッピングすることと
を含む、方法。
【請求項１８】
請求項１７に記載の方法（３００）であって、
前記情報は、
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、
を含む、方法。
【請求項１９】
請求項１６乃至１８の何れか１項に記載の方法（３００）であって、前記外部グループＩＤはデータ配信承認要求メッセージで受信され、前記グループ内のそれぞれのＵＥのＩＤについての前記情報はデータ配信承認応答メッセージで送信される、方法。
【請求項２０】
請求項１９に記載の方法（３００）であって、前記データは非ＩＰデータであり、前記データ配信承認要求メッセージは非ＩＰデータ配信「ＮＩＤＤ」承認要求メッセージであり、前記データ配信承認応答メッセージはＮＩＤＤ承認応答メッセージである、方法。
【請求項２１】
請求項１５乃至２０の何れか１項に記載の方法（３００）であって、前記ネットワークエンティティ（９００；１０００）はホーム加入者サーバ（ＨＳＳ）（４０５）であり、前記ネットワークエクスポージャエンティティ（７００；８００）は、サービス能力エクスポージャ機能（ＳＣＥＦ）エンティティ又はネットワークエクスポージャ機能（ＮＥＦ）エンティティ（４０３）である、方法。
【請求項２２】
ネットワークエンティティ（６００）であって、
通信を行う通信インタフェース（６０１）と、
少なくとも１つのプロセッサ（６０３）と、
前記少なくとも１つのプロセッサ（６０３）によって実行されると、前記ネットワークエンティティ（６００）にデータ配信設定の動作を実行させる命令を含むメモリ（６０５）と、を備え、前記動作は、
データが前記ネットワークエンティティ（６００）によって配信されるユーザ装置（ＵＥ）のグループを識別する予め定義された外部グループＩＤと、ＵＥの前記グループへの前記データの配信を可能にするＵＥの前記グループに適用される設定を示す予め定義された設定情報とを設定することと、
前記予め定義された外部グループＩＤ及び設定情報をネットワークエクスポージャエンティティ（７００；８００）へ送信することと
を含む、ネットワークエンティティ。
【請求項２３】
請求項２２に記載のネットワークエンティティ（６００）であって、前記予め定義された外部グループＩＤ及び設定情報は、データ配信設定要求メッセージで送信される、ネットワークエンティティ。
【請求項２４】
請求項２３に記載のネットワークエンティティ（６００）であって、前記データは非ＩＰデータであり、前記データ配信設定要求メッセージは非ＩＰデータ配信（ＮＩＤＤ）設定要求メッセージである、ネットワークエンティティ。
【請求項２５】
請求項２２乃至２４の何れか１項に記載のネットワークエンティティ（６００）であって、前記ネットワークエンティティ（６００）はサードパーティサービス能力サーバ／アプリケーションサーバ（ＳＣＳ／ＡＳ）（４０１）であり、前記ネットワークエクスポージャエンティティ（７００；８００）は、サービス能力エクスポージャ機能（ＳＣＥＦ）エンティティ又はネットワークエクスポージャ機能（ＮＥＦ）エンティティ（４０３）である、ネットワークエンティティ（６００）。
【請求項２６】
ネットワークエクスポージャエンティティ（８００）であって、
通信を行う通信インタフェース（８０１）と、
少なくとも１つのプロセッサ（８０３）と、
前記少なくとも１つのプロセッサ（８０３）によって実行されると、前記ネットワークエクスポージャエンティティ（８００）にデータ配信設定の動作を実行させる命令を含むメモリ（８０５）と、を備え、前記動作は、
データがネットワークエンティティ（５００；６００）によって配信されるユーザ装置（ＵＥ）のグループを識別する予め定義された外部グループＩＤと、ＵＥの前記グループへの前記データの配信を可能にするＵＥの前記グループに適用される設定を示す予め定義された設定情報とを、前記通信インタフェース（８０１）を介して前記ネットワークエンティティ（５００；６００）から受信することと、
前記外部グループＩＤを他のネットワークエンティティ（９００；１０００）へ前記通信インタフェース（８０１）を介して送信することと
を含む、ネットワークエクスポージャエンティティ。
【請求項２７】
請求項２６に記載のネットワークエクスポージャエンティティ（８００）であって、前記命令は、前記少なくとも１つのプロセッサ（８０３）によって実行されると、前記ネットワークエンティティ（８００）に、さらに、
ＵＥの前記グループへの前記データの前記配信を可能にするＵＥの前記グループに適用される前記設定を示す前記設定情報を記憶させる、ネットワークエクスポージャエンティティ。
【請求項２８】
請求項２６又は２７に記載のネットワークエクスポージャエンティティ（８００）であって、前記命令は、前記少なくとも１つのプロセッサ（８０３）によって実行されると、前記ネットワークエンティティ（８００）に、さらに、
前記グループ内のそれぞれのＵＥのＩＤについての情報を、前記他のネットワークエンティティ（４０５；９００；１０００）から前記通信インタフェース（８０１）を介して受信させ、
前記グループ内の前記それぞれのＵＥへの前記ネットワークエンティティ（５００；６００）から受信したデータのグループベースの配信に使用可能な前記情報を記憶させる、ネットワークエクスポージャエンティティ。
【請求項２９】
請求項２７に記載のネットワークエクスポージャエンティティ（８００）であって、前記命令は、前記少なくとも１つのプロセッサ（８０３）によって実行されると、前記ネットワークエンティティ（８００）に、さらに、
前記グループ内の前記それぞれのＵＥに対して、前記記憶された情報に基づいて前記ネットワークエンティティ（５００；６００）から受信した前記データを、前記通信インタフェース（８０１）を介して送信させる、ネットワークエクスポージャエンティティ。
【請求項３０】
請求項２８に記載のネットワークエクスポージャエンティティ（８００）であって、前記データは、前記ネットワークエンティティ（５００；６００）からデータ配信設定要求メッセージで受信される、ネットワークエクスポージャエンティティ。
【請求項３１】
請求項２８に記載のネットワークエクスポージャエンティティ（８００）であって、
前記情報は、
前記グループの前記それぞれのＵＥの国際モバイル加入者識別子（ＩＭＳＩ）のリスト及びモバイル局サービス総合デジタル網番号（ＭＳＩＳＤＮ）のリスト、又は、
前記グループの前記それぞれのＵＥのＩＭＳＩのリスト及び外部ＩＤのリスト、を含む、ネットワークエクスポージャエンティティ。
【請求項３２】
請求項３１に記載のネットワークエクスポージャエンティティ（８００）であって、前記外部ＩＤのリスト内の前記外部ＩＤは前記外部グループＩＤからマッピングされ、前記ＩＭＳＩのリスト及び前記ＭＳＩＳＤＮのリストは前記他のネットワークエンティティ（４０５；９００；１０００）によって前記外部ＩＤからそれぞれマッピングされる、ネットワークエクスポージャエンティティ。
【請求項３３】
請求項２６乃至３２の何れか１項に記載のネットワークエクスポージャエンティティ（８００）であって、前記外部グループＩＤ及び前記設定情報はデータ配信設定要求メッセージで受信され、前記外部グループＩＤはデータ配信承認要求メッセージで送信され、前記グループ内の各ＵＥのＩＤについての情報はデータ配信承認応答メッセージで受信される、ネットワークエクスポージャエンティティ。
【請求項３４】
請求項３３に記載のネットワークエクスポージャエンティティ（８００）であって、前記データは非ＩＰデータであり、前記データ配信設定要求メッセージは非ＩＰデータ配信（ＮＩＤＤ）設定要求メッセージであり、前記データ配信承認要求メッセージはＮＩＤＤ承認要求メッセージであり、前記データ配信承認応答メッセージはＮＩＤＤ承認応答メッセージである、ネットワークエクスポージャエンティティ。
【請求項３５】
請求項２６乃至３４の何れか１項に記載のネットワークエクスポージャエンティティ（８００）であって、前記ネットワークエクスポージャエンティティ（８００）はサービス能力エクスポージャ機能（ＳＣＥＦ）エンティティ又はネットワークエクスポージャ機能（ＮＥＦ）エンティティ（４０３）であり、前記ネットワークエンティティ（５００；６００）はサードパーティサービス能力サーバ／アプリケーションサーバ（ＳＣＳ／ＡＳ）（４０１）であり、前記他のネットワークエンティティ（９００；１０００）は、ホーム加入者サーバ（ＨＳＳ）（４０５）である、ネットワークエクスポージャエンティティ。
【請求項３６】
ネットワークエンティティ（１０００）であって、
通信を行う通信インタフェース（１００１）と、
少なくとも１つのプロセッサ（１００３）と、
前記少なくとも１つのプロセッサによって実行されると、前記ネットワークエンティティにデータ配信設定の動作を実行させる命令を含むメモリ（１００５）と、を備え、前記命令は、
データが配信されるユーザ装置（ＵＥ）のグループを識別する予め定義された外部グループＩＤを前記通信インタフェース（１００１）を介してネットワークエクスポージャエンティティ（７００；８００）から受信することと、
前記外部グループＩＤに基づいて前記グループ内のそれぞれのＵＥのＩＤについての情報を取得することと
を含む、ネットワークエンティティ。
【請求項３７】
請求項３６に記載のネットワークエンティティ（１０００）であって、前記命令は、前記少なくとも１つのプロセッサ（１００３）によって実行されると、前記ネットワークエンティティ（１０００）に、さらに、
前記グループ内のそれぞれのＵＥのＩＤについての情報を前記ネットワークエクスポージャエンティティ（７００；８００）へ送信させる、ネットワークエンティティ。
【請求項３８】
請求項３６又は３７に記載のネットワークエンティティ（１０００）であって、前記命令は、前記少なくとも１つのプロセッサ（１００３）によって実行されると、前記ネットワークエンティティ（１０００）を、前記外部グループＩＤに基づいて、前記グループ内のそれぞれのＵＥのＩＤについての情報を取得させ、さらに、前記ネットワークエンティティ（１０００）に、
前記外部グループＩＤを、前記グループ内のそれぞれのＵＥの外部ＩＤのリストへマッピングさせ、
外部ＩＤの前記リストの前記外部ＩＤを、前記グループの前記それぞれのＵＥの国際モバイル加入者識別子（ＩＭＳＩ）のリスト及びモバイル局サービス総合デジタル網番号（ＭＳＩＳＤＮ）のリストのそれぞれへマッピングさせる、
ネットワークエンティティ。
【請求項３９】
請求項３８に記載のネットワークエンティティ（１０００）であって、
前記情報は、
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、
を含む、ネットワークエンティティ。
【請求項４０】
請求項３７乃至３９の何れか１項に記載のネットワークエンティティ（１０００）であって、前記外部グループＩＤはデータ配信承認要求メッセージで受信され、前記グループ内のそれぞれのＵＥのＩＤについての情報はデータ配信承認応答メッセージで送信される、ネットワークエンティティ。
【請求項４１】
請求項４０に記載のネットワークエンティティ（１０００）であって、前記データは非ＩＰデータであり、前記データ配信承認要求メッセージは非ＩＰデータ配信（ＮＩＤＤ）承認要求メッセージであり、前記データ配信承認応答メッセージはＮＩＤＤ承認応答メッセージである、ネットワークエンティティ。
【請求項４２】
請求項３６乃至４１の何れか１項に記載のネットワークエンティティ（１０００）であって、前記ネットワークエンティティ（１０００）はホーム加入者サーバ（ＨＳＳ）（４０５）であり、前記ネットワークエクスポージャエンティティ（７００；８００）はサービス能力エクスポージャ機能（ＳＣＥＦ）エンティティ又はネットワークエクスポージャ機能（ＮＥＦ）エンティティ（４０３）である、ネットワークエンティティ。
【請求項４３】
少なくとも１つのプロセッサ上で実行されると、前記少なくとも１つのプロセッサに、請求項１乃至２１の何れか１項に記載のデータ配信設定の方法を実行させる、命令を含むコンピュータプログラムを記憶するコンピュータ可読媒体。
【発明の詳細な説明】
【技術分野】
【０００１】
本開示は一般に、電気通信の技術分野に関し、特に、ネットワークエンティティにおける方法、ネットワークエクスポージャエンティティにおける方法、並びに、特にＮＩＤＤ（非ＩＰデータ配信）設定のための、データ配信設定のための対応するネットワークエンティティ及びネットワークエクスポージャエンティティに関する。
【背景技術】
【０００２】
本節は、この開示において説明された様々な技術の実施形態に背景を提供することを意図している。本節の説明は、追及し得る概念を含む得るが、必ずしも、先に想到されているか、又は追及されたものではない。したがって、別段の指定がない限り、本節に記載されているものは、本開示の明細書及び／又は特許請求の範囲の従来技術ではなく、単に本節に含まれることによって従来技術であると認められるものではない。
【０００３】
同じ特性を有するＵＥのグループについてのシグナリングを低減するために、ＵＥグループ化コンセプトが３ＧＰＰに導入される。特に、ＮＩＤＤの場合、同じ配信コンテンツを有するＵＥのためのグループ化されたＮＩＤＤは、ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）に対するシグナリング負荷を大幅に低減することができる。
【０００４】
現在、ＮＩＤＤ終了サービスは、参照により本明細書に組み込まれる、３ＧＰＰ  ＴＳ  ２３．６８２（Ｒｅｌ−１５）のサブセクション５．５．３「ユニキャストＭＴ  ＮＩＤＤを介するグループメッセージ配信」に規定されているグループベースの配信をサポートする。この手段は、サードパーティのＳＣＳ／ＡＳ（サービス能力サーバ／アプリケーションサーバ）がこのサービスを利用して、ＵＥのグループにメッセージを配信することができる。これにより、ＳＣＳ／ＡＳとＳＣＥＦとの間のネットワークシグナリングがグループ内のそれぞれのＵＥにそのようなＡＰＩ（アプリケーションプログラミングインタフェース）  をトリガーする代わりに、ある程度節約される。
【０００５】
しかしながら、３ＧＰＰ  ＴＳ  ２３．６８２（Ｒｅｌ−１５）のサブセクション５．５．３に規定されているようなグループベースの配信については、ＵＥのグループがどのように設定され得るか、例えば、３ＧＰＰ  ＴＳ  ２３．６８２（Ｒｅｌ−１５）のサブセクション５．５．３に規定されているダウンリンクＮＩＤＤのグループベースの配信を受信することができるように設定され得るかが記述されていない。
【発明の概要】
【発明が解決しようとする課題】
【０００６】
現在、ＵＥのグループで各ＵＥを設定する場合、サードパーティＳＣＳ／ＡＳがグループ内のそれぞれのＵＥにＮＩＤＤ設定を繰り返し行う必要がある。つまり、ＮＩＤＤサービス（即ち、ＮＩＤＤ設定）を使用する前提条件は、依然としてＵＥレベルごとである。グループ内の各ＵＥのＮＩＤＤ設定を作成／更新／削除するのは効率的ではない。
【０００７】
したがって、本発明の少なくともいくつかの目的はＳＣＳ／ＡＳとＳＣＥＦ／ＮＥＦとの間のシグナリング負荷をさらに低減するために、サードパーティＳＣＳ／ＡＳ、ＳＣＥＦ／ＮＥＦ（ネットワークエクスポージャ機能）、及びＨＳＳ（ホーム加入者サーバ）などの、データ配信設定、特にＮＩＤＤ設定のために互いにやり取りする少なくとも３つのエンティティのためのＮＩＤＤ設定のためのグループ化された動作が可能な技術的解決策を提供することである。
【０００８】
本開示の一態様によれば、データ配信設定のためのネットワークエンティティにおける方法が提供され、前記方法は：
データが前記ネットワークエンティティによって配信されるＵＥのグループを識別する予め定義された外部グループＩＤと、ＵＥの前記グループへの前記データの配信を可能にするＵＥの前記グループに適用される設定を示す予め定義された設定情報とを設定することと、
前記予め定義された外部グループＩＤ及び設定情報をネットワークエクスポージャエンティティへ送信することとを含む。
【０００９】
例示的な実施形態では、予め定義された外部グループＩＤ及び設定情報はデータ配信設定要求メッセージで送信される。
【００１０】
例示的な実施形態では、データは非ＩＰデータであり、データ配信設定要求メッセージは非ＩＰデータ配信（ＮＩＤＤ）設定要求メッセージである。
【００１１】
例示的な実施形態ではネットワークエンティティがサードパーティＳＣＳ／ＡＳであり、ネットワークエクスポージャエンティティはＳＣＥＦエンティティ又はＮＥＦエンティティである。
【００１２】
本開示の別の態様によれば、ネットワークエクスポージャの方法が提供され、前記方法は：
データが前記ネットワークエンティティによって配信されるＵＥのグループを識別する予め定義された外部グループＩＤと、ＵＥの前記グループへの前記データの配信を可能にするＵＥの前記グループに適用される設定を示す予め定義された設定情報とをネットワークエンティティから受信することと、
前記外部グループＩＤを他のネットワークエンティティへ送信することとを含む。
【００１３】
例示的な実施形態では、本方法はＵＥのグループへのデータの配信を可能にするＵＥのグループに適用される設定を示す設定情報を記憶することをさらに含む。
【００１４】
例示的な実施形態では、方法はさらに：
前記グループのそれぞれのＵＥのＩＤについての情報を前記他のネットワークエンティティから受信することと、
前記グループ内の前記それぞれのＵＥへの前記ネットワークエンティティから受信したデータのグループベースの配信に使用可能な前記情報を記憶することと、を含む。
【００１５】
例示的な実施形態では、方法はさらに：
グループ内の各ＵＥ  に対して、記憶された情報に基づいてネットワークエンティティから受信したデータを送信することを含む。
【００１６】
例示的な実施形態では、当該データはデータ配信設定要求メッセージにおいてネットワークエンティティから受信される。
【００１７】
例示的な実施形態では、当該情報は：
前記グループの前記それぞれのＵＥの国際モバイル加入者識別子（ＩＭＳＩ）のリスト及びモバイル局サービス総合デジタル網番号（ＭＳＩＳＤＮ）のリスト、又は、
前記グループの前記それぞれのＵＥのＩＭＳＩのリスト及び外部ＩＤのリスト、を含む。
【００１８】
例示的な実施形態では、外部ＩＤのリスト内の外部ＩＤが外部グループＩＤからマッピングされ、ＩＭＳＩのリスト及びＭＳＩＳＤＮのリストはそれぞれ、他のネットワークエンティティによって外部ＩＤからマッピングされる。
【００１９】
例示的な実施形態では、外部グループＩＤ及び設定情報はデータ配信設定要求メッセージで受信され、外部グループＩＤはデータ配信承認要求メッセージで送信され、グループ内のそれぞれのＵＥのＩＤに関する情報はデータ配信承認応答メッセージで受信される。
【００２０】
例示的な実施形態では、データは非ＩＰデータであり、データ配信設定要求メッセージはＮＩＤＤ設定要求メッセージであり、データ配信承認要求メッセージはＮＩＤＤ承認要求メッセージであり、データ配信承認応答メッセージはＮＩＤＤ承認応答メッセージである。
【００２１】
例示的な実施形態では、ネットワークエクスポージャエンティティはＳＣＥＦエンティティ又はＮＥＦエンティティであり、ネットワークエンティティはサードパーティＳＣＳ／ＡＳであり、他のネットワークエンティティはＨＳＳである。
【００２２】
本開示の別の態様によれば、データ配信設定のためのネットワークエンティティにおける方法が提供され、当該方法は：
データが配信されるＵＥのグループを識別する予め定義された外部グループＩＤを、ネットワークエクスポージャエンティティから受信することと、
前記外部グループＩＤに基づいて前記グループ内のそれぞれのＵＥのＩＤについての情報を取得することとを含む。
【００２３】
例示的な実施形態では、方法はさらに：
グループ内の各ＵＥのＩＤについての情報をネットワークエクスポージャエンティティに送信することを含む。
【００２４】
例示的な実施形態では、外部グループＩＤに基づいてグループ内の各ＵＥのＩＤに関する情報を取得することは：
前記外部グループＩＤを、前記グループ内のそれぞれのＵＥの外部ＩＤのリストへマッピングすることと、
外部ＩＤの前記リストの前記外部ＩＤを、前記グループの前記それぞれのＵＥのＩＭＳＩのリスト及びＭＳＩＳＤＮのリストのそれぞれへマッピングすることと、を含む。
【００２５】
例示的な実施形態では、当該情報は：
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、を含む。
【００２６】
例示的な実施形態では、外部グループＩＤがデータ配信承認要求メッセージで受信され、グループ内のそれぞれのＵＥのＩＤに関する情報はデータ配信承認応答メッセージで送信される。
【００２７】
例示的な実施形態では、データは非ＩＰデータであり、データ配信承認要求メッセージはＮＩＤＤ承認要求メッセージであり、データ配信承認応答メッセージはＮＩＤＤ承認応答メッセージである。
【００２８】
例示的な実施形態では、ネットワークエンティティはＨＳＳであり、ネットワークエクスポージャエンティティはＳＣＥＦエンティティ又はＮＥＦエンティティである。
【００２９】
本開示の別の態様によれば、ネットワークエンティティが提供され、当該ネットワークエンティティは：
通信を行う通信インタフェースと、
少なくとも１つのプロセッサと、
前記少なくとも１つのプロセッサによって実行されると、前記ネットワークエンティティにデータ配信設定の動作を実行させる命令を含むメモリと、を備え、前記命令は：
データが前記ネットワークエンティティによって配信されるＵＥのグループを識別する予め定義された外部グループＩＤと、ＵＥの前記グループへの前記データの配信を可能にするＵＥの前記グループに適用される設定を示す予め定義された設定情報とを設定することと、
前記予め定義された外部グループＩＤ及び設定情報をネットワークエクスポージャエンティティへ送信することとを含む。
【００３０】
例示的な実施形態では、予め定義された外部グループＩＤ及び設定情報はデータ配信設定要求メッセージで送信される。
【００３１】
例示的な実施形態では、データは非ＩＰデータであり、データ配信設定要求メッセージはＮＩＤＤ設定要求メッセージである。例示的な実施形態ではネットワークエンティティがサードパーティＳＣＳ／ＡＳであり、ネットワークエクスポージャエンティティはＳＣＥＦエンティティ又はＮＥＦエンティティである。
【００３２】
本開示の別の態様によれば、ネットワークエクスポージャエンティティが提供され、当該ネットワークエクスポージャエンティティは：
通信を行う通信インタフェースと、
少なくとも１つのプロセッサと、
前記少なくとも１つのプロセッサによって実行されると、前記ネットワークエクスポージャエンティティにデータ配信設定の動作を実行させる命令を含むメモリと、を備え、前記命令は：
データが前記ネットワークエンティティによって配信されるＵＥのグループを識別する予め定義された外部グループＩＤと、ＵＥの前記グループへの前記データの配信を可能にするＵＥの前記グループに適用される設定を示す予め定義された設定情報とを、前記通信インタフェースを介して前記ネットワークエンティティから受信することと、
前記外部グループＩＤを他のネットワークエンティティへ前記通信インタフェースを介して送信することとを含む。
【００３３】
例示的な実施形態では、命令が少なくとも１つのプロセッサによって実行されると、さらに、ＵＥのグループへのデータの配信を可能にするＵＥのグループに適用される設定を示す設定情報をネットワークエクスポージャエンティティに記憶させる。
【００３４】
例示的な実施形態では、命令が少なくとも１つのプロセッサによって実行されると、さらに、ネットワークエクスポージャエンティティに、さらに：
前記グループ内のそれぞれのＵＥのＩＤについての情報を、前記他のネットワークエンティティから前記通信インタフェースを介して受信させ、
前記グループ内の前記それぞれのＵＥへの前記ネットワークエンティティから受信したデータのグループベースの配信に使用可能な前記情報を記憶させる。
【００３５】
例示的な実施形態では、命令が少なくとも１つのプロセッサによって実行されると、さらに、ネットワークエクスポージャエンティティに、さらに：
グループ内の各ＵＥに対して、記憶された情報に基づいてネットワークエンティティから受信したデータを送信させる。
【００３６】
例示的な実施形態では、当該データはデータ配信設定要求メッセージにおいてネットワークエンティティから受信される。
【００３７】
例示的な実施形態では、当該情報は：
前記グループの前記それぞれのＵＥのＩＭＳＩの前記リスト及びＭＳＩＳＤＮの前記リスト、又は、
前記グループの前記それぞれのＵＥのＩＭＳＩのリスト及び外部ＩＤのリスト、を含む。
【００３８】
例示的な実施形態では、外部ＩＤのリスト内の外部ＩＤが外部グループＩＤからマッピングされ、ＩＭＳＩのリスト及びＭＳＩＳＤＮのリストはそれぞれ、他のネットワークエンティティによって外部ＩＤからマッピングされる。
【００３９】
例示的な実施形態では、外部グループＩＤ及び設定情報はデータ配信設定要求メッセージで受信され、外部グループＩＤはデータ配信承認要求メッセージで送信され、グループ内のそれぞれのＵＥのＩＤに関する情報はデータ配信承認応答メッセージで受信される。
【００４０】
例示的な実施形態では、データは非ＩＰデータであり、データ配信設定要求メッセージはＮＩＤＤ設定要求メッセージであり、データ配信承認要求メッセージはＮＩＤＤ承認要求メッセージであり、データ配信承認応答メッセージはＮＩＤＤ承認応答メッセージである。
【００４１】
例示的な実施形態では、ネットワークエクスポージャエンティティはＳＣＥＦエンティティ又はＮＥＦエンティティであり、ネットワークエンティティはサードパーティＳＣＳ／ＡＳであり、他のネットワークエンティティはＨＳＳである。
【００４２】
本開示の別の態様によれば、ネットワークエンティティが提供され、当該ネットワークエンティティは：
通信を行う通信インタフェースと、
少なくとも１つのプロセッサと、
前記少なくとも１つのプロセッサによって実行されると、前記ネットワークエンティティにデータ配信設定の動作を実行させる命令を含むメモリと、を備え、前記命令は：
データが配信されるＵＥのグループを識別する予め定義された外部グループＩＤを前記通信インタフェースを介してネットワークエクスポージャエンティティから受信することと、
前記外部グループＩＤに基づいて前記グループ内のそれぞれのＵＥのＩＤについての情報を取得することとを含む。
【００４３】
例示的な実施形態では、命令が少なくとも１つのプロセッサによって実行されると、さらに、ネットワークエンティティに：
グループ内の各ＵＥのＩＤについての情報をネットワークエクスポージャエンティティに送信させる。
【００４４】
例示的な実施形態では、当該命令は少なくとも１つのプロセッサによって実行されると、ネットワークエンティティが外部グループＩＤに基づいて、グループ内のそれぞれのＵＥのＩＤについての情報を取得させ、当該命令はさらに、ネットワークエンティティに：
前記外部グループＩＤを、前記グループ内のそれぞれのＵＥの外部ＩＤのリストへマッピングさせ、
外部ＩＤの前記リストの前記外部ＩＤを、前記グループの前記それぞれのＵＥのＩＭＳＩのリスト及びＭＳＩＳＤＮのリストのそれぞれへマッピングさせる。
【００４５】
例示的な実施形態では、当該情報は：
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、を含む。
【００４６】
例示的な実施形態では、外部グループＩＤがデータ配信承認要求メッセージで受信され、グループ内のそれぞれのＵＥのＩＤについての情報はデータ配信承認応答メッセージで送信される。
【００４７】
例示的な実施形態では、データは非ＩＰデータであり、データ配信承認要求メッセージはＮＩＤＤ承認要求メッセージであり、データ配信承認応答メッセージはＮＩＤＤ承認応答メッセージである。
【００４８】
例示的な実施形態では、ネットワークエンティティはＨＳＳであり、ネットワークエクスポージャエンティティはＳＣＥＦエンティティ又はＮＥＦエンティティである。
【００４９】
本開示の別の態様によれば、少なくとも１つのプロセッサ上で実行されると、少なくとも１つのプロセッサに、前述のようなデータ配信設定のための方法を実行させる命令を含むコンピュータプログラムを記憶するコンピュータ可読媒体が提供される。
【００５０】
本開示の上記技術的解決策によれば、データが配信されるＵＥのグループを識別する外部グループＩＤがサードパーティネットワークエンティティからネットワークエクスポージャエンティティに送信されるデータ配信設定要求メッセージ内に導入され、順次、外部グループＩＤを他のネットワークエンティティに転送し、次いで、他のネットワークエンティティは外部グループＩＤに基づいてグループ内のそれぞれのＵＥのＩＤについての情報を取得し、グループ内のそれぞれのＵＥのＩＤについての情報をネットワークエクスポージャエンティティに送信し、その結果、ネットワークエクスポージャエンティティはグループ内のそれぞれのＵＥについて、情報に基づいてネットワークエンティティから受信されたデータを送信することができ、即ち、グループベースのデータ配信設定に基づいてグループベースのデータ配信を実施することができ、これにより、ネットワークエンティティとネットワークエクスポージャエンティティとの間のシグナリング負荷をさらに低減することができる。
【図面の簡単な説明】
【００５１】
本発明の目的、利点、及び特徴は図面に関連する好ましい実施形態の説明により、より明らかになるのであろう。
【図１】本開示の例示的な実施形態による、データ配信設定のための、ＳＣＳ／ＡＳなどの第１のネットワークエンティティにおける方法のフローチャートを例示的に示す。
【図２】本開示の例示的な実施形態による、データ配信設定のための、ＳＣＥＦ／ＮＥＦなどのネットワークエクスポージャエンティティにおける方法のフローチャートを例示的に示す。
【図３】本開示の例示的な実施形態による、データ配信設定のための、ＨＳＳなどの第２のネットワークエンティティにおける方法のフローチャートを例示的に示す。
【図４】本開示の例示的な実施形態による例示的なグループデータ配信設定手順を例示的に示す。
【図５】本開示の例示的な実施形態による、ＳＣＳ／ＡＳなどの第１のネットワークエンティティの概略構成図を例示的に示す。
【図６】本開示の別の例示的な実施形態による、ＳＣＳ／ＡＳなどの第１のネットワークエンティティの概略構成図を例示的に示す。
【図７】本開示の例示的な実施形態による、ＳＣＥＦ／ＮＥＦなどのネットワークエクスポージャエンティティの概略構成図を例示的に示す。
【図８】本開示の別の例示的な実施形態による、ＳＣＥＦ／ＮＥＦなどのネットワークエクスポージャエンティティの概略構成図を例示的に示す。
【図９】本開示の例示的な実施形態による、ＨＳＳなどの第２のネットワークエンティティの概略構成図を例示的に示す。
【図１０】本開示の例示的な実施形態による、ＨＳＳなどの第２のネットワークエンティティの概略構成図を例示的に示す。  図面全体を通して、同一の又は類似の参照番号は、同一の又は類似の要素を示すために使用され、図面中の様々な部分は一定の縮尺で描かれておらず、説明目的のためだけであり、したがって、本開示の範囲に対するいかなる限定及び制約としても理解されるべきではないことに留意されたい。
【発明を実施するための形態】
【００５２】
以下、本開示の原理及び精神を、例示的な実施形態を参照して説明する。ここで、本明細書で記載される実施形態のいくつかを、添付の図面を参照してより詳細に説明する。しかしながら、他の実施形態は本明細書に開示された主題の範囲内に含まれ、開示される主題は本明細書に記載された実施形態のみに限定されると解釈されるべきではなく、むしろ、これらの実施形態は主題の範囲を当業者に伝えるために例示として提供されるものである。追加の情報は以下の参考文献でも参照することができ、これらはすべて参照により本明細書に組み込まれる：
１）３ＧＰＰ  ＴＳ  ２３．６８２  Ｒｅｌｅａｓｅ  １５、
２）３ＧＰＰ  ＴＳ  ２９．３３６  Ｒｅｌｅａｓｅ  １５、及び、
３）３ＧＰＰ  ＴＳ  ２９．１２２  Ｒｅｌｅａｓｅ  １５。
【００５３】
本明細書における「一実施形態」、「実施形態」、「例示的な実施形態」などへの言及は記載された実施形態が特定の特徴、構造、ま又は特性を含み得ることを示すが、全ての実施形態が特定の特徴、構造、又は特性を含むことは必須ではない。さらに、そのような語句は、必ずしも同じ実施形態を参照しているわけではない。さらに、特定の特徴、構造、又は特性が実施形態に関連して記載されている場合、明示的に記載されているか否かにかかわらず、他の実施形態に関連してそのような特徴、構造、又は特性に影響を及ぼすことは、当業者の知識の範囲内であることが提示される。
【００５４】
本明細書で使用される用語は特定の実施形態を説明することのみを目的としており、例示的な実施形態を限定することを意図していない。単数形”ａ”及び”ａｎ”は文脈が明らかにそうでないことを示さない限り、複数形も同様に含むことを意図する。用語「備える（ｃｏｍｐｒｉｓｅｓ）」、「備えている（ｃｏｍｐｒｉｓｉｎｇ）」、「有する（ｈａｓ）」、「有している（ｈａｖｉｎｇ）」、「含む（ｉｎｃｌｕｄｅｓ）」、及び／又は「含んでいる（ｉｎｃｌｕｄｉｎｇ）」は本明細書で使用されるように、述べられた特徴、要素、及び／又はコンポーネントなどの存在を特定するが、１以上の他の特徴、要素、コンポーネント、及び／又はそれらの組合せの存在又は追加を除外するものではない。
【００５５】
以下の説明及び特許請求の範囲では別段の定義がない限り、本明細書で使用されるすべての技術用語及び科学用語は本開示が属する技術分野の当業者によって一般に理解されるものと同じ意味を有する。
【００５６】
本明細書で説明する技術は、ＣＤＭＡ、ＴＤＭＡ、ＦＤＭＡ、ＯＦＤＭＡ、ＳＣ−ＦＤＭＡ、ＬＴＥ、及び将来開発される他のネットワークなど、様々な無線通信ネットワークのために使用され得る。「ネットワーク」及び「システム」という用語は、互換的に使用される。説明のためだけに、以下では技術の特定の態様、即ち第５世代の無線通信ネットワークについて説明する。しかし、本明細書で説明される技術はＬＴＥ及び本明細書で言及される対応する無線技術、並びに将来提案される無線ネットワーク及び無線技術などの他の無線ネットワークにも使用され得ることが、当業者には理解されるのであろう。
【００５７】
本明細書で使用されるように、用語「ＵＥ」は、限定ではなく例として、ＳＳ（加入者局）、ポータブル加入者局、ＭＳ（移動局）、ＭＴ（移動端末）、又はＡＴ（アクセス端末）とすることができる。ＵＥは携帯電話機、セルラー電話機、スマートフォン、又はパーソナルデジタルアシスタント（ＰＤＡ）、携帯コンピュータ、デジタルカメラなどの画像端末デバイス、ゲーム端末デバイス、音楽ストレージ及び再生機器、ウェアラブル端末デバイス、車両搭載無線端末デバイスなどを含み得るが、これらに限定されない。以下の説明では「ＵＥ」、「端末デバイス」、「移動端末」、及び「ユーザ装置」という用語は互換的に使用され得る。
【００５８】
明確にするために、「第１の」ネットワークエンティティ及び「第２の」ネットワークエンティティを使用して、本明細書全体を通して、それぞれ右側及び左側からネットワークエクスポージャエンティティと対話している２つのネットワークエンティティを区別する。
【００５９】
用語「第１の」及び「第２の」などは様々な要素を説明するために本明細書で使用され得るが、これらの要素はこれらの用語によって限定されるべきではないことを理解されたい。これらの用語は、１つの要素を別の要素から区別するためにのみ使用される。例えば、例示的な実施形態の範囲から逸脱することなく、第１の要素を第２の要素と呼ぶことができ、同様に、第２の要素を第１の要素と呼ぶことができる。
【００６０】
以下では、図１及び図４を参照して、本発明の例示の実施形態による第１ネットワークエンティティでの方法を説明する。
【００６１】
図１はＳＣＥＦ又はＮＥＦ（例えば、図４に示すようなＳＣＥＦ／ＮＥＦ４０１）などのネットワークエクスポージャエンティティで実行される、本開示の例示の実施形態によるグループベースのデータ配信設定のための方法１００のフローチャートを例示的に示す。図４は、本開示の例示の実施形態に係る例示のグループデータ配信設定手順を例示的に示し、以下でより詳細に説明する。
【００６２】
図１に示すように、グループベースのデータ配信設定のための方法１００は、ステップＳ１０１及びＳ１０３を含むことができる。
【００６３】
ステップＳ１０１では、第１のネットワークエンティティは、第１のネットワークエンティティによってデータが配信されるＵＥのグループを識別する予め定義された外部グループＩＤを設定することができる。最初のネットワークエンティティはまた、ＵＥのグループへのデータの配信を可能にするＵＥのグループに適用される設定を示す、予め定義された設定情報（ＰＤＮコネクション確立オプション、高信頼データサービス構成、非ＩＰデータなどを含む）を設定することもできる。好ましくは、設定情報はＵＥのグループ内の各ＵＥに等しく（例えば、同様の方法で）適用される。
【００６４】
外部グループＩＤは、例えば第１のネットワークエンティティと第２のネットワークエンティティとの間のサービス合意に基づいて、第１のネットワークエンティティと第２のネットワークエンティティ、例えば、ＨＳＳ（例えば、図４のＨＳＳ４０５）などで予め定義されてもよい。ＵＥのグループ化は例えば、トラフィック特性、トラフィック要件などに基づいて実行されてもよく、その結果、同じ特性を有するセンサ、カメラなどのＣＩｏＴ（Ｃｏｎｓｕｍｅｒ  Ｉｎｔｅｒｎｅｔ  ｏｆ  Ｔｈｉｎｇｓ）デバイスなどのＵＥを１つのグループにグループ化することができる。
【００６５】
設定情報は、例えば第１のネットワークエンティティと第２のネットワークエンティティとの間のサービス合意に基づいて、第１のネットワークエンティティと第２のネットワークエンティティにおいて予め定義されてもよい。さらに、設定情報は、例えば制御プレーンネットワークエンティティによって、例えば、第１のネットワークエンティティから設定情報を最初に受信したネットワークエクスポージャエンティティから設定情報を順に取得したモビリティ管理エンティティ（ＭＭＥ）又は同様のものによって、識別されたＵＥのグループに適用され得る。設定情報は、例えばＮＩＤＤ通信を確立するための接続手順又は同様の手順において、ＵＥの識別されたグループ内のＵＥとの接続を確立する際に適用され得る。ネットワークエクスポージャエンティティと制御プレーンネットワークエンティティ、例えば、ＭＭＥとの間にＮＩＤＤ接続が存在しない場合に、ＭＴ  ＮＩＤＤをどのように配信するかを決定するために、ネットワークエクスポージャエンティティによって当該設定が使用されてもよい。次に、ステップＳ１０３において、第１のネットワークエンティティは予め定義された外部グループＩＤ及び設定情報を、ＳＣＥＦ又はＮＥＦ（例えば、図４のＳＣＥＦ／ＮＥＦ４０３）などのネットワークエクスポージャエンティティに送信することができる。
【００６６】
予め定義された外部グループＩＤ及び設定情報は、第１のネットワークエンティティからネットワークエクスポージャエンティティに送信されるデータ配信設定要求メッセージで送信されてもよい。
【００６７】
一実施形態では、当該データは非ＩＰデータであってもよく、データ配信設定要求メッセージは第１のネットワークエンティティからネットワークエクスポージャエンティティに送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【００６８】
以下では、図２及び図４を参照して、本発明の例示の実施形態に係るネットワークエクスポージャエンティティにおける方法を説明する。
【００６９】
図２はＳＣＥＦ又はＮＥＦ（例えば、図４に示すようなＳＣＥＦ／ＮＥＦ４０３）などのネットワークエクスポージャエンティティで実行される、本開示の例示の実施形態によるグループベースのデータ配信設定のための方法２００のフローチャートを例示的に示す。
【００７０】
図２に示すように、グループベースのデータ配信設定のための方法２００は、ステップＳ２０１及びＳ２０３を含むことができる。
【００７１】
ステップＳ２０１で、ネットワークエクスポージャエンティティは、ＳＣＳ／ＡＳ（例えば、図４に示すＳＣＳ／ＡＳ４０１）などの第１のネットワークエンティティによってデータが配信されるべきＵＥのグループを識別する予め定義された外部グループＩＤを第１のネットワークエンティティから受信する。ネットワークエクスポージャエンティティはまた、ＵＥのグループへのデータの配信を可能にするＵＥのグループに適用される設定を示す予め定義された設定情報を第１のネットワークエンティティから受信することができる。
【００７２】
ステップＳ１０３で説明したように、外部グループＩＤは、例えば第１のネットワークエンティティと第２のネットワークエンティティとの間のサービス合意などに基づいて、第１のネットワークエンティティと第２のネットワークエンティティ、例えばＨＳＳ（例えば、図４のＨＳＳ４０５）などに予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【００７３】
設定情報は、例えば第１のネットワークエンティティと第２のネットワークエンティティとの間のサービス合意に基づいて、第１のネットワークエンティティと第２のネットワークエンティティにおいて予め定義されてもよい。
【００７４】
外部グループＩＤと設定情報は、最初のネットワークエンティティからネットワークエクスポージャエンティティに送信されるデータ配信設定要求メッセージで受信される可能性がある。
【００７５】
一実施形態では、データは非ＩＰデータであってもよく、データ配信設定要求メッセージは第１のネットワークエンティティからネットワークエクスポージャエンティティに送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【００７６】
ネットワークエクスポージャエンティティはＵＥのグループへのデータの配信を可能にするＵＥのグループに適用される設定を示す設定情報を格納し、設定情報を外部グループＩＤに関連付け、さらなるＭＴ  ＮＩＤＤ配信のためにそれを使用することができる。
【００７７】
次に、ステップＳ２０３において、ネットワークエクスポージャエンティティは外部グループＩＤを、ＨＳＳ（例えば、図４に示すＨＳＳ４０５）などの第２のネットワークエンティティに送信することができる。
【００７８】
外部グループＩＤは、ネットワークエクスポージャエンティティから第２のネットワークエンティティに送信されるデータ配信承認要求メッセージで送信されてもよい。
【００７９】
一実施形態では、データは非ＩＰデータであってもよく、データ配信承認要求メッセージはネットワークエクスポージャエンティティから第２のネットワークエンティティに送信されるＮＩＤＤ承認要求メッセージ（例えば、図４のプロセス３におけるＳＣＥＦ／ＮＥＦ４０３からＨＳＳ４０５へのＮＩＤＤ承認要求）であってもよい。
【００８０】
次に、方法２００はネットワークエクスポージャエンティティが第２のネットワークエンティティに外部グループＩＤを送信した後に、図２の破線ブロックに示すように、ステップＳ２０５及びＳ２０７をさらに含むことができ、第２のネットワークエンティティは受信した外部グループＩＤを順に処理して、グループ内のそれぞれのＵＥのＩＤについての情報を取得し、ネットワークエクスポージャエンティティに送信することができる。
【００８１】
ステップＳ２０５において、ネットワークエクスポージャエンティティは、第２のネットワークエンティティからグループ内の各ＵＥのＩＤに関する情報を受信することができる。
【００８２】
一実施形態では、グループ内の各ＵＥのＩＤについての情報が第２のネットワークエンティティからネットワークエクスポージャエンティティに送信されるデータ配信承認応答メッセージで受信されてもよい。
【００８３】
一実施形態では、データは非ＩＰデータであってもよく、データ配信承認応答メッセージは第２のネットワークエンティティからネットワークエクスポージャエンティティに送信されるＮＩＤＤ承認応答メッセージである（例えば、図４のプロセス５におけるＨＳＳ４０５からＳＣＥＦ／ＮＥＦ４０３へのＮＩＤＤ承認応答）。
【００８４】
一実施形態では、グループ内のそれぞれのＵＥのＩＤについての情報は以下を含むことができる：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【００８５】
外部ＩＤ  のリスト内の外部ＩＤ  は、第２のネットワークエンティティによって外部グループＩＤからマッピングされてもよい。ＩＭＳＩのリスト及びＭＳＩＳＤＮのリストは、第２のネットワークエンティティによって外部ＩＤからそれぞれマッピングされ得る。
【００８６】
次に、ステップＳ２０７において、ネットワークエクスポージャエンティティは、グループ内の各ＵＥのＩＤについての情報を格納することができる。このような情報は、第１のネットワークエンティティから受信したデータをグループ内のそれぞれのＵＥにグループベースで配信するために使用することができる。
【００８７】
ネットワークエクスポージャエンティティは、データ配信設定応答メッセージを第１のネットワークエンティティに送信することもできる。
【００８８】
一実施形態では、データは非ＩＰデータであってもよく、データ配信設定要求メッセージは第１のネットワークエンティティからネットワークエクスポージャエンティティに送信されるＮＩＤＤ設定応答メッセージ（例えば、図４のプロセス６におけるＳＣＥＦ／ＮＥＦ４０３からＳＣＳ／ＡＳ４０１へのＮＩＤＤ設定応答）であってもよい。
【００８９】
ネットワークエクスポージャエンティティからグループ内のそれぞれのＵＥに配信されるデータがある場合、方法２００は図２の破線ブロックに示されるように、ステップＳ２０９をさらに含むことができ、ネットワークエクスポージャエンティティはグループ内のそれぞれのＵＥに対して、格納された情報に基づいて、第１のネットワークエンティティから受信されたデータを送信することができる（例えば、図４のプロセス７）。
【００９０】
一実施形態では、データがデータ配信設定要求メッセージ（例えば、図４のプロセス１におけるＳＣＳ／ＡＳ４０１からＳＣＥＦ／ＮＥＦ４０３へのＮＩＤＤ設定要求）において、第１のネットワークエンティティからネットワークエクスポージャエンティティによって受信され得る。この場合、ネットワークエクスポージャーエンティティは参照により本明細書に組み込まれている３ＧＰＰ  ＴＳ  ２３．６８２の節５．１３．１．２に定義されるように、ネットワークエクスポージャーエンティティへのＰＤＮ接続が確立された後にのみ、グループ内の各ＵＥにデータを送信することができる。
【００９１】
以下では、図３及び図４を参照して、本発明の例示の実施形態に係る第２ネットワークエンティティでの方法を説明する。
【００９２】
図３はＨＳＳ（例えば、図４に示されるＨＳＳ４０５）などの第２のネットワークエンティティにおいて実行される、本開示の例示の実施形態に係る、グループベースのデータ配信設定のための方法３００のフローチャートを例示的に示す。
【００９３】
図３に示すように、グループベースのデータ配信設定のための方法３００は、ステップＳ３０１及びＳ３０３を含むことができる。
【００９４】
ステップＳ３０１において、第２のネットワークエンティティはＳＣＥＦ又はＮＥＦ（例えば、図４に示すようなＳＣＥＦ／ＮＥＦ４０３）などのネットワークエクスポージャエンティティから、データが配信されるべきＵＥのグループを識別する予め定義された外部グループＩＤを受信することができる。
【００９５】
前述したように、外部グループＩＤはＳＣＳ／ＡＳなどの第１のネットワークエンティティ（例えば、図４のＳＣＳ／ＡＳ４０１）及び第２のネットワークエンティティにおいて、例えば第１のネットワークエンティティと第２のネットワークエンティティとの間のサービス合意に基づいて、予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【００９６】
ステップＳ２０３で説明したように、外部グループＩＤは、ネットワークエクスポージャエンティティから第２のネットワークエンティティに送信されるデータ配信承認要求メッセージで受信されてもよい。
【００９７】
一実施形態では、データは非ＩＰデータであってもよく、データ配信承認要求メッセージはネットワークエクスポージャエンティティから第２のネットワークエンティティに送信されるＮＩＤＤ承認要求メッセージ（例えば、図４のプロセス３におけるＳＣＥＦ／ＮＥＦ４０３からＨＳＳ４０５へのＮＩＤＤ承認要求）であってもよい。
【００９８】
次に、ステップＳ３０３において、第２のネットワークエンティティは外部グループＩＤに基づいて、グループ内のそれぞれのＵＥのＩＤについての情報を取得することができる（例えば、図４のプロセス４）。
【００９９】
一実施形態において、第２のネットワークエンティティが受信されたデータ配信承認要求メッセージ、例えば、外部グループＩＤの存在に関して調べ、例えばデータベースに予め定義され格納された、当該外部グループＩＤと、当該グループ内のそれぞれのＵＥの外部ＩＤのリストとの対応に関する知識に従って、外部グループＩＤをグループ内のそれぞれのＵＥのリストにマッピングし、当該グループ内のそれぞれのＵＥのリストにマッピングし、外部ＩＤのリスト内の外部ＩＤをそれぞれグループ内のそれぞれのＵＥのＩＭＳＩのリスト及びＭＳＩＳＤＮのリストにマッピングすることができる。
【０１００】
したがって、グループ内の各ＵＥのＩＤについての情報は、以下を含み得る：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト、を含む。
【０１０１】
次に、方法３００はステップＳ３０５をさらに含むことができ、第２のネットワークエンティティは、グループ内のそれぞれのＵＥのＩＤについての情報をネットワークエクスポージャエンティティに送信することができる。
【０１０２】
ステップＳ２０５で説明したように、グループ内の各ＵＥのＩＤについての情報は、第２のネットワークエンティティからネットワークエクスポージャエンティティに送信されるデータ配信承認応答メッセージで送信され得る。
【０１０３】
一実施形態では、データは非ＩＰデータであってもよく、データ配信承認応答メッセージは第２のネットワークエンティティからネットワークエクスポージャエンティティに送信されるＮＩＤＤ承認応答メッセージである（例えば、図４のプロセス５におけるＨＳＳ４０５からＳＣＥＦ／ＮＥＦ４０３へのＮＩＤＤ承認応答）。
【０１０４】
以下では、図４を参照して、本発明の一実施形態に係る全体的なグループデータ配信設定手順を説明する。図４の例では、３つのネットワークエンティティが例えば、データ配信設定、特にＮＩＤＤ設定のために互いにやり取りするＳＣＳ／ＡＳ４０１、ＳＣＥＦ／ＮＥＦ４０３、及びＨＳＳ４０５として特に示されている。
【０１０５】
図４は例として、ＳＣＳ／ＡＳ４０１、ＳＣＥＦ／ＮＥＦ４０３、及びＨＳＳ４０５などの特定のエンティティを示しているが、これらは例示的な実施形態を限定することを意図していないことを理解されたい。代わりに、図４に示される例示的なグループデータ配信設定手順は、必要に応じて、他のネットワークエンティティによって実行されてもよい。
【０１０６】
図４の例示的なグループデータ配信設定手順４００は、以下のような処理（プロセス）１〜６を含むことができる。
【０１０７】
まず、ＳＣＳ／ＡＳ４０１は、ＳＣＳ／ＡＳ４０１によってデータが配信されるＵＥのグループを識別する予め定義された外部グループＩＤを設定することができる。ＳＣＳ／ＡＳ４０１はまた、ＵＥのグループへのデータの配信を可能にするＵＥのグループに適用される設定を示す、予め定義された設定情報（ＰＤＮ接続確立オプション、高信頼データサービス設定、非ＩＰデータ等を含む）を設定してもよい。
【０１０８】
外部グループＩＤは、例えば第１のネットワークエンティティと第２のネットワークエンティティとの間のサービス合意に基づいて、第１のネットワークエンティティ及び第２のネットワークエンティティ、例えば、ＨＳＳ（例えば、図４のＨＳＳ４０５）などで予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１０９】
設定情報は、例えば第１のネットワークエンティティと第２のネットワークエンティティとの間のサービス合意に基づいて、第１のネットワークエンティティ及び第２のネットワークエンティティにおいて予め定義されてもよい。
【０１１０】
プロセス１では、ＳＣＳ／ＡＳ４０１がＮＩＤＤ設定要求内の予め定義された外部グループＩＤ及び設定情報をＳＣＥＦ／ＮＥＦ４０３に送信することができる。
【０１１１】
外部グループＩＤの他に、ＮＩＤＤ設定要求は３ＧＰＰ  ＴＳ  ２３．６８２の節５．１３．２に詳述されているように、外部識別子又はＭＳＩＳＤＮ、ＳＣＳ／ＡＳ識別子、ＴＴＲＩ（Ｔ８トランザクション基準ＩＤ）、ＴＬＴＲＩ（Ｔ８ロングタームトランザクション基準ＩＤ）、設定情報（要求されたアクション、ＰＤＮ接続確立オプション、高信頼データサービス設定などを含む）を含むことができ、ここでは簡単のため説明を省略する。
【０１１２】
プロセス２において、ＳＣＥＦ／ＮＥＦ４０３は、ＳＣＳ／ＡＳ４０１からＮＩＤＤ設定要求を受信した後、外部グループＩＤ、設定情報を含む受信したＮＩＤＤ設定要求を処理する。
【０１１３】
ＳＣＥＦ／ＮＥＦ４０３はＵＥのグループへのデータの配信を可能にするＵＥのグループに適用される設定を示す設定情報を格納し、設定情報を外部グループＩＤに関連付け、それをさらなるＭＴ  ＮＩＤＤ配信に使用することができる。
【０１１４】
次に、プロセス３において、ＳＣＥＦ／ＮＥＦ４０３は、ＮＩＤＤ承認要求内の外部グループＩＤをＨＳＳ４０５に送信する。プロセス４において、ＨＳＳ４０５は、ＳＣＥＦ／ＮＥＦ４０３からＮＩＤＤ承認要求を受信した後、外部グループＩＤを含む受信したＮＩＤＤ承認要求を処理する。
【０１１５】
一実施形態では、ＨＳＳ４０５が例えば、外部グループＩＤの存在に関して、受信したＮＩＤＤ承認要求を調べ、例えばそのデータベースに予め定義され格納された、その外部グループＩＤと、そのグループ内のそれぞれのＵＥの外部ＩＤのリストとの間の対応に関する知識に従って、外部グループＩＤをグループ内のそれぞれのＵＥの外部ＩＤのリストにマッピングし、外部ＩＤのリスト内の外部ＩＤをそれぞれ、グループ内のそれぞれのＵＥのＩＭＳＩのリストとＭＳＩＳＤＮのリストにマッピングすることができる。
【０１１６】
したがって、グループ内の各ＵＥのＩＤについての情報は、以下を含み得る：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【０１１７】
次に、プロセス５において、ＨＳＳ４０５は、ＮＩＤＤ承認応答内の外部グループＩＤをＳＣＥＦ／ＮＥＦ４０３に送信する。特に、ＮＩＤＤ承認応答は、グループ内のそれぞれのＵＥのＩＭＳＩのリスト及びＭＳＩＳＤＮのリスト、又はグループ内のそれぞれのＵＥのＩＭＳＩのリスト及び外部ＩＤのリストを含むことができる。
【０１１８】
ＳＣＥＦ／ＮＥＦ４０３はＨＳＳ４０５からグループ内の各ＵＥのＩＤについての情報を受信した後、ＳＣＥＦ／ＮＥＦ４０３はグループ内の各ＵＥのＩＤについての情報を格納する。そのような情報は、ＳＣＳ／ＡＳ４０１から受信されたデータをグループ内のそれぞれのＵＥにグループベースで配信するために使用され得る。
【０１１９】
次に、プロセス６において、ＳＣＥＦ／ＮＥＦ４０３は、ＮＩＤＤ設定応答をＳＣＳ／ＡＳ４０１に送信する。
【０１２０】
これで、グループベースのＮＩＤＤ設定手順は完了である。
【０１２１】
ＳＣＥＦ／ＮＥＦ４０３からグループ内の各ＵＥに配信されるデータがある場合、ＳＣＥＦ／ＮＥＦ４０３は図４の破線ブロックに示すプロセス７に示すように、格納された情報に基づいて、グループ内の各ＵＥに対して、ＳＣＳ／ＡＳ４０１から受信したデータを送信することができる。
【０１２２】
以下では、図５を参照して、第１のネットワークエンティティの構造について説明する。図５は本開示の例示の実施形態に係るネットワークエンティティ５００（前述の図４に示されるような、ＳＣＳ／ＡＳ、例えばＳＣＳ／ＡＳ４０１などの第１のネットワークエンティティを指す）の概略構成図を例示的に示す。図５のネットワークエンティティ５００は、図１を参照して前述したグループベースのデータ配信設定のための方法１００を実行することができる。したがって、ネットワークエンティティ５００に関するいくつかの詳細な説明は前述したように、グループベースのデータ配信設定のための方法１００の対応する説明を参照してもよい。
【０１２３】
図５に示すように、ネットワークエンティティ５００は、設定ユニット５０１及びトランシーバ５０３を含むことができる。当業者には理解されるように、本発明の概念を曖昧にしないために、図５では、ネットワークエンティティ５００における一般的なコンポーネントは省略されている。
【０１２４】
ネットワークエンティティ５００の設定ユニット５０１は、ステップＳ１０１において、ネットワークエンティティ５００によってデータが配信されるＵＥのグループを識別する予め定義された外部グループＩＤを設定するように構成されてもよい。ネットワークエンティティ５００の設定ユニット５０１はまた、ＵＥのグループへのデータの配信を可能にするＵＥのグループに適用される設定を示す、予め定義された設定情報（ＰＤＮ接続確立オプション、高信頼データサービス設定、非ＩＰデータ等を含む）を設定するように構成されてもよい。好ましくは、設定情報はＵＥのグループ内の各ＵＥに等しく適用される。
【０１２５】
外部グループＩＤは、例えば第１のネットワークエンティティと第２のネットワークエンティティとの間のサービス合意に基づいて、第１のネットワークエンティティ及び第２のネットワークエンティティ、例えばＨＳＳ（例えば、図４のＨＳＳ４０５）などで予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１２６】
設定情報は、例えば第１のネットワークエンティティと第２のネットワークエンティティとの間のサービス合意に基づいて、第１のネットワークエンティティ及び第２のネットワークエンティティにおいて予め定義されてもよい。
【０１２７】
ネットワークエンティティ５００のトランシーバ５０３はステップＳ１０３において、予め定義された外部グループＩＤ及び設定情報を、ＳＣＥＦ又はＮＥＦ（例えば、図４のＳＣＥＦ／ＮＥＦ４０３）などのネットワークエクスポージャエンティティに送信するように構成されてもよい。
【０１２８】
予め定義された外部グループＩＤ及び設定情報は、データ配信設定要求メッセージでトランシーバ５０３によってネットワークエクスポージャエンティティに送信され得る。
【０１２９】
一実施形態では、データは非ＩＰデータであってもよく、データ配信設定要求メッセージはネットワークエンティティ５００からネットワークエクスポージャエンティティに送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【０１３０】
以下では、図６を参照して、第１のネットワークエンティティの他の構成について説明する。図６は本開示の例示の実施形態に係るネットワークエンティティ６００（前述のように、図４に示されるＳＣＳ／ＡＳ、例えばＳＣＳ／ＡＳ４０１などの第１のネットワークエンティティを指す）の概略構成図を例示的に示す。図６のネットワークエンティティ６００は、図１を参照して前述したグループベースのデータ配信設定のための方法１００を実行することができる。したがって、ネットワークエンティティ６００に関するいくつかの詳細な説明は前述したように、グループベースのデータ配信設定のための方法１００の対応する説明を参照してもよい。
【０１３１】
図６に示すように、ネットワークエンティティ６００はコンピュータプログラム命令を実行することができる、例えば、任意の好適な中央演算処理装置、ＣＰＵ、マイクロコントローラ、ディジタル信号プロセッサ、ＤＳＰ等を含む少なくとも１つのコントローラ又はプロセッサ６０３を含むことができる。コンピュータのプログラム命令は、メモリ６０５に記憶することができる。メモリ６０５は、ＲＡＭ（ランダムアクセスメモリ）及びＲＯＭ（リードオンリーメモリ）の任意の組み合わせとすることができる。このメモリは例えば、磁気メモリ、光学メモリ若しくはソリッドステートメモリの何れか１つ又はそれらの組合せ、或いはリモートにマウントされたメモリの任意の１つ又は組み合わせである永続的なストレージを含むこともできる。例示のネットワークエンティティ６００は、通信のために構成された通信インタフェース６０１をさらに備える。
【０１３２】
命令はメモリ６０５からロードされ、少なくとも１つのプロセッサ６０３によって実行される際に、前述したように、ネットワークエンティティ６００に方法１００を実行させることができる。
【０１３３】
特に、命令はメモリ６０５からロードされ、少なくとも１つのプロセッサ６０３によって実行されると、ステップＳ１０１において、ネットワークエンティティによってデータが配信されるべきＵＥのグループを識別する所定の外部グループＩＤと、ＵＥのグループへのデータの配信を可能にするＵＥのグループに適用される設定を示す所定の設定情報（ＰＤＮ接続確立オプション、高信頼データサービス設定、非ＩＰデータなどを含む）とをネットワークエンティティ６００に設定させることができる。好ましくは、設定情報はＵＥのグループ内の各ＵＥに等しく適用される。
【０１３４】
外部グループＩＤは、例えば第１のネットワークエンティティと第２のネットワークエンティティとの間のサービス合意に基づいて、第１のネットワークエンティティ及び第２のネットワークエンティティ、例えばＨＳＳ（例えば、図４のＨＳＳ４０５）などで予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１３５】
設定情報は、例えば第１のネットワークエンティティと第２のネットワークエンティティとの間のサービス合意に基づいて、第１のネットワークエンティティ及び第２のネットワークエンティティにおいて予め定義されてもよい。
【０１３６】
命令はメモリ６０５からロードされ、少なくとも１つのプロセッサ６０３によって実行されると、ステップＳ１０３で、ネットワークエンティティ６００に、通信インタフェース６０１を介して、ＳＣＥＦ又はＮＥＦ（例えば、図４のＳＣＥＦ／ＮＥＦ４０３）などのネットワークエクスポージャエンティティに、予め定義された外部グループＩＤ及び設定情報を送信させることができる。
【０１３７】
予め定義された外部グループＩＤ及び設定情報は、データ配信設定要求メッセージ内でネットワークエクスポージャエンティティに送信されてもよい。
【０１３８】
一実施形態では、データは非ＩＰデータであってもよく、データ配信設定要求メッセージはネットワークエンティティ６００からネットワークエクスポージャエンティティに送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【０１３９】
以下では、図７を参照して、ネットワークエクスポージャエンティティの構造を説明する。図７は本開示の例示の実施形態による、ネットワークエクスポージャエンティティ７００（前述のように、図４に示すようなＳＣＥＦ又はＮＥＦ、例えばＳＣＥＦ／ＮＥＦ４０３など）の概略構成図を例示的に示す。図７のネットワークエクスポージャエンティティ７００は、図２を参照して前述したグループベースのデータ配信設定のための方法２００を実行することができる。したがって、グループベースのデータ配信設定のためのネットワークエンティティ７００に関するいくつかの詳細な説明は、先に説明した方法２００の対応する説明を参照することができる。
【０１４０】
図７に示すように、ネットワークエクスポージャエンティティ７００は、トランシーバ７０１及びストレージユニット７０３を含むことができる。当業者には理解されるように、ネットワークエクスポージャエンティティ７００における一般的なコンポーネントは本発明の概念を曖昧にしないために、図７では省略されている。
【０１４１】
ネットワークエクスポージャエンティティ７００のトランシーバ７０１はステップＳ２０１において、ＳＣＳ／ＡＳ（例えば、図４に示されるようなＳＣＳ／ＡＳ４０１）などの第１のネットワークエンティティから、データが第１のネットワークエンティティによって配信されるべきＵＥのグループを識別する所定の外部グループＩＤを受信するように構成されうる。ネットワークエクスポージャエンティティ７００のトランシーバ７０１はまた、ＵＥのグループへのデータの配信を可能にするＵＥのグループに適用されるべき構成を示す予め定義された設定情報を、第１のネットワークエンティティから受信するように構成され得る。
【０１４２】
外部グループＩＤは、例えば第１のネットワークエンティティと第２のネットワークエンティティとの間のサービス合意に基づいて、第１のネットワークエンティティ及び第２のネットワークエンティティ、例えばＨＳＳ（例えば、図４のＨＳＳ４０５）などで予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１４３】
設定情報は、例えば第１のネットワークエンティティと第２のネットワークエンティティとの間のサービス合意に基づいて、第１のネットワークエンティティ及び第２のネットワークエンティティにおいて予め定義されてもよい。
【０１４４】
外部グループＩＤ及び設定情報は、第１のネットワークエンティティからネットワークエクスポージャエンティティ７００に送信されるデータ配信設定要求メッセージで受信されてもよい。
【０１４５】
一実施形態では、データは非ＩＰデータであってもよく、データ配信設定要求メッセージは第１のネットワークエンティティからネットワークエクスポージャエンティティ７００に送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【０１４６】
ネットワークエクスポージャエンティティ７００のトランシーバ７０１はステップＳ２０３において、外部グループＩＤを、ＨＳＳ（例えば、図４に示すＨＳＳ４０５）などの第２のネットワークエンティティに送信するようにさらに構成することができる。
【０１４７】
ストレージユニット７０３は、ＵＥのグループへのデータの配信を可能にするＵＥのグループに適用される設定を示す設定情報を記憶するように構成されてもよく、そのようにして、設定情報を外部グループＩＤと関連付け、それをさらなるＭＴ  ＮＩＤＤ配信に使用する。
【０１４８】
外部グループＩＤは、ネットワークエクスポージャエンティティ７００から第２のネットワークエンティティに送信されるデータ配信承認要求メッセージで送信されてもよい。
【０１４９】
一実施形態では、データは非ＩＰデータであってもよく、データ配信承認要求メッセージはネットワークエクスポージャエンティティ７００から第２のネットワークエンティティに送信されるＮＩＤＤ承認要求メッセージ（例えば、図４のプロセス３におけるＳＣＥＦ／ＮＥＦ４０３からＨＳＳ４０５へのＮＩＤＤ承認要求）であってもよい。
【０１５０】
ネットワークエクスポージャエンティティ７００のトランシーバ７０１はステップＳ２０５において、第２のネットワークエンティティから、グループ内のそれぞれのＵＥのＩＤについての情報を受信するようにさらに構成され得る。
【０１５１】
一実施形態では、グループ内のそれぞれのＵＥのＩＤについての情報が第２のネットワークエンティティからネットワークエクスポージャエンティティ７００に送信されるデータ配信承認応答メッセージで受信されてもよい。
【０１５２】
一実施形態では、データは非ＩＰデータであってもよく、データ配信承認応答メッセージは第２のネットワークエンティティからネットワークエクスポージャエンティティ７００に送信されるＮＩＤＤ承認応答メッセージ（例えば、図４のプロセス５におけるＨＳＳ４０５からＳＣＥＦ／ＮＥＦ４０３へのＮＩＤＤ承認応答）である。
【０１５３】
一実施形態では、グループ内のそれぞれのＵＥのＩＤについての情報は以下を含むことができる：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【０１５４】
外部ＩＤ  のリスト内の外部ＩＤ  は、第２のネットワークエンティティによって外部グループＩＤからマッピングされてもよい。ＩＭＳＩのリスト及びＭＳＩＳＤＮのリストは、第２のネットワークエンティティによって外部ＩＤからそれぞれマッピングされ得る。
【０１５５】
次に、ステップＳ２０７において、ネットワークエクスポージャエンティティ７００のストレージユニット７０３は、グループ内の各ＵＥのＩＤについての情報を記憶するように構成されてもよい。このような情報は、第１のネットワークエンティティから受信したデータをグループ内のそれぞれのＵＥにグループベースで配信するために使用することができる。
【０１５６】
ネットワークエクスポージャエンティティ７００のトランシーバ７０１は、データ配信設定応答メッセージを第１のネットワークエンティティに送信するようにさらに構成され得る。
【０１５７】
一実施形態では、データは非ＩＰデータであってもよく、データ配信設定要求メッセージは第１のネットワークエンティティからネットワークエクスポージャエンティティ７００に送信されるＮＩＤＤ構成応答メッセージ（例えば、図４のプロセス６におけるＳＣＥＦ／ＮＥＦ４０３からＳＣＳ／ＡＳ４０１へのＮＩＤＤ構成応答）であってもよい。
【０１５８】
ネットワークエクスポージャエンティティ７００からグループ内のそれぞれのＵＥに配信されるべきデータがある場合、ネットワークエクスポージャエンティティ７００のトランシーバ７０１はステップＳ２０９において、記憶された情報（例えば、図４のプロセス７）に基づいて、グループ内のそれぞれのＵＥについて、第１のネットワークエンティティから受信されたデータを送信するように構成されてもよい。
【０１５９】
一実施形態では、データがデータ配信設定要求メッセージ（例えば、図４のプロセス１におけるＳＣＳ／ＡＳ４０１からＳＣＥＦ／ＮＥＦ４０３へのＮＩＤＤ設定要求）において、第１のネットワークエンティティからネットワークエクスポージャエンティティ７００によって受信され得る。このケースでは、ネットワークエクスポージャエンティティが３ＧＰＰ  ＴＳ  ２３．６８２の節５．１３．１．２に定義されているように、ネットワークエクスポージャエンティティへのＰＤＮ接続が確立された後にのみ、データをグループ内のそれぞれのＵＥに送信することができる。
【０１６０】
以下、図８を参照して、ネットワークエクスポージャエンティティの他の構成について説明する。図８は、本開示の例示の実施形態に係る、ネットワークエクスポージャエンティティ８００（前述のように、図４に示すようなＳＣＥＦ又はＮＥＦ、例えばＳＣＥＦ／ＮＥＦ４０３を参照）の概略構成図を例示的に示す。図８のネットワークエクスポージャエンティティ８００は、図２を参照して前述したグループベースのデータ配信設定のための方法２００を実行することができる。したがって、ネットワークエクスポージャエンティティ８００に関するいくつかの詳細な説明は前述のように、グループベースのデータ配信設定のための方法２００の対応する説明を参照することができる。
【０１６１】
図８に示すように、ネットワークエクスポージャエンティティ８００は例えば、コンピュータプログラム命令を実行することができる任意の好適な中央演算処理装置、ＣＰＵ、マイクロコントローラ、ディジタル信号プロセッサ、ＤＳＰ等を含む少なくとも１つのコントローラ又はプロセッサ８０３を含むことができる。コンピュータのプログラム命令は、メモリ８０５に記憶することができる。メモリ８０５は、ＲＡＭ（ランダムアクセスメモリ）及びＲＯＭ（リードオンリーメモリ）の任意の組み合わせとすることができる。このメモリは例えば、磁気メモリ、光学メモリ若しくはソリッドステートメモリの何れか１つ又はそれらの組合せ、或いはリモートにマウントされたメモリの任意の１つ又は組み合わせである永続的なストレージを含むこともできる。例示的なネットワークエクスポージャエンティティ８００は、通信のために構成された通信インタフェース８０１をさらに備える。
【０１６２】
命令はメモリ８０５からロードされ、少なくとも１つのプロセッサ８０３によって実行されると、前述のように、ネットワークエクスポージャエンティティ８００に方法２００を実行させることができる。
【０１６３】
具体的には、命令がメモリ８０５からロードされ、少なくとも１つのプロセッサ８０３によって実行されると、ネットワークエクスポージャエンティティ８００に、ＳＣＳ／ＡＳ（例えば、図４に示すＳＣＳ／ＡＳ４０１）などの第１のネットワークエンティティから、第１のネットワークエンティティによってデータが配信されるべきＵＥのグループを識別する予め定義された外部グループＩＤと、通信インタフェース８０１を介してＵＥのグループへのデータの配信を可能にするＵＥのグループに適用される設定を示す予め定義された設定情報とを受信させることができる（Ｓ２０１）。
【０１６４】
外部グループＩＤは、例えば第１のネットワークエンティティと第２のネットワークエンティティとの間のサービス合意に基づいて、第１のネットワークエンティティ及び第２のネットワークエンティティ、例えばＨＳＳ（例えば、図４のＨＳＳ４０５）などで予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１６５】
設定情報は、例えば第１のネットワークエンティティと第２のネットワークエンティティとの間のサービス合意に基づいて、第１のネットワークエンティティ及び第２のネットワークエンティティにおいて予め定義されてもよい。
【０１６６】
外部グループＩＤ及び設定情報は、第１のネットワークエンティティからネットワークエクスポージャエンティティ８００に送信されるデータ配信設定要求メッセージで受信されてもよい。
【０１６７】
一実施形態では、データは非ＩＰデータであってもよく、データ配信設定要求メッセージは第１のネットワークエンティティからネットワークエクスポージャエンティティ８００に送信されるＮＩＤＤ設定要求メッセージ（例えば、図４のプロセス１におけるＳＣＳ／ＡＳ４０１からＳＣＥＦ／ＮＥＦ４０３へのＮＩＤＤ設定要求）であってもよい。
【０１６８】
命令はメモリ８０５からロードされ、少なくとも１つのプロセッサ８０３によって実行されると、ネットワークエクスポージャエンティティ８００に、ＵＥのグループへのデータの配信を可能にするＵＥのグループに適用される設定を示す設定情報を記憶させ、設定情報を外部グループＩＤと関連付け、それをさらなるＭＴ  ＮＩＤＤ配信のために使用することができる。
【０１６９】
命令はメモリ８０５からロードされ、少なくとも１つのプロセッサ８０３によって実行されると、ステップＳ２０３で、ネットワークエクスポージャエンティティ８００に、通信インタフェース８０１を介して、ＨＳＳ（例えば、図４に示すＨＳＳ４０５）などの第２のネットワークエンティティに外部グループＩＤを送信させることができる。
【０１７０】
外部グループＩＤは、ネットワークエクスポージャエンティティ８００から第２のネットワークエンティティに送信されるデータ配信承認要求メッセージで送信されてもよい。
【０１７１】
一実施形態では、データは非ＩＰデータであってもよく、データ配信承認要求メッセージはネットワークエクスポージャエンティティ８００から第２のネットワークエンティティに送信されるＮＩＤＤ承認要求メッセージ（例えば、図４のプロセス３におけるＳＣＥＦ／ＮＥＦ４０３からＨＳＳ４０５へのＮＩＤＤ承認要求）であってもよい。
【０１７２】
さらに、命令はメモリ８０５からロードされ、少なくとも１つのプロセッサ８０３によって実行されると、ネットワークエクスポージャエンティティ８００に、ステップＳ２０５で、通信インタフェース８０１を介して第２のネットワークエンティティからグループ内のそれぞれのＵＥのＩＤに関する情報を受信させることができる。
【０１７３】
実施形態では、グループ内のそれぞれのＵＥのＩＤに関する情報が第２のネットワークエンティティからネットワークエクスポージャエンティティ８００に送信されるデータ配信承認応答メッセージで受信されてもよい。
【０１７４】
一実施形態では、データは非ＩＰデータであってもよく、データ配信承認応答メッセージは第２のネットワークエンティティからネットワークエクスポージャエンティティ８００に送信されるＮＩＤＤ承認応答メッセージ（例えば、図４のプロセス５におけるＨＳＳ４０５からＳＣＥＦ／ＮＥＦ４０３へのＮＩＤＤ承認応答）である。
【０１７５】
一実施形態では、グループ内のそれぞれのＵＥのＩＤについての情報は以下を含むことができる：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【０１７６】
外部ＩＤ  のリスト内の外部ＩＤ  は、第２のネットワークエンティティによって外部グループＩＤからマッピングされてもよい。ＩＭＳＩのリスト及びＭＳＩＳＤＮのリストは、第２のネットワークエンティティによって外部ＩＤからそれぞれマッピングされ得る。
【０１７７】
命令はメモリ８０５からロードされ、少なくとも１つのプロセッサ８０３によって実行されると、Ｓ２０７において、ネットワークエクスポージャエンティティ８００に、グループ内のそれぞれのＵＥのＩＤについての情報を記憶させることができる。このような情報は、第１のネットワークエンティティから受信したデータをグループ内のそれぞれのＵＥにグループベースで配信するために使用することができる。
【０１７８】
命令はメモリ８０５からロードされ、少なくとも１つのプロセッサ８０３によって実行されると、ネットワークエクスポージャエンティティ８００に、データ配信設定レスポンスメッセージを第１のネットワークエンティティに送信させることができる。一実施形態では、データは非ＩＰデータであってもよく、データ配信設定要求メッセージは第１のネットワークエンティティからネットワークエクスポージャエンティティ８００に送信されるＮＩＤＤ設定応答メッセージ（例えば、図４のプロセス６におけるＳＣＥＦ／ＮＥＦ４０３からＳＣＳ／ＡＳ４０１へのＮＩＤＤ設定応答）であってもよい。
【０１７９】
ネットワークエクスポージャエンティティ８００からグループ内のそれぞれのＵＥに配信されるデータがある場合、命令はステップＳ２０９において、通信インタフェース８０１を介して、ネットワークエクスポージャエンティティ８００に、第１のネットワークエンティティから受信されたデータを、グループ内のそれぞれのＵＥごとに、記憶された情報（例えば、図４のプロセス７）に基づいて送信させることができる。
【０１８０】
一実施形態では、データがデータ配信設定要求メッセージ（例えば、図４のプロセス１におけるＳＣＳ／ＡＳ４０１からＳＣＥＦ／ＮＥＦ４０３へのＮＩＤＤ設定要求）において、第１のネットワークエンティティからネットワークエクスポージャエンティティ８００によって受信され得る。このケースでは、ネットワークエクスポージャエンティティ８００がネットワークエクスポージャエンティティ８００へのＰＤＮ接続が３ＧＰＰ  ＴＳ  ２３．６８２の節５．１３．１．２に定義されているように確立された後にのみ、データをグループ内のそれぞれのＵＥに送信することができる。
【０１８１】
以下では、図９を参照して、第２のネットワークエンティティの構造について説明する。図９は本開示の例示の実施形態に係るネットワークエンティティ９００（前述のように、図４に示されるＨＳＳ４０５などのＨＳＳなどの第２のネットワークエンティティを参照する）の概略構成図を例示的に示す。図９のネットワークエンティティ９００は、図３を参照して前述したグループベースのデータ配信設定のための方法３００を実行することができる。したがって、ネットワークエンティティ９００に関するいくつかの詳細な説明は前述したように、グループベースのデータ配信設定のための方法３００の対応する説明を参照してもよい。
【０１８２】
図９に示すように、ネットワークエンティティ９００は、トランシーバ９０１及び取得部９０３を含むことができる。当業者には理解されるように、本発明の概念を曖昧にしないために、図９では、ネットワークエンティティ９００における一般的なコンポーネントは省略されている。
【０１８３】
ネットワークエンティティ９００のトランシーバ９０１はＳＣＥＦ又はＮＥＦ（例えば、図４に示されるようなＳＣＥＦ／ＮＥＦ４０３）などのネットワークエクスポージャエンティティから、ステップＳ３０１においてデータが配信されるべきＵＥのグループを識別する所定の外部グループＩＤを受信するように構成され得る。
【０１８４】
前述したように、外部グループＩＤはＳＣＳ／ＡＳなどの第１のネットワークエンティティ（例えば、図４のＳＣＳ／ＡＳ４０１）及び第２のネットワークエンティティにおいて、例えば第１のネットワークエンティティと第２のネットワークエンティティとの間のサービス合意に基づいて、予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１８５】
外部グループＩＤは、ネットワークエクスポージャエンティティからネットワークエンティティ９００に送信されるデータ配信承認要求メッセージで受信されてもよい。
【０１８６】
一実施形態では、データは非ＩＰデータとすることができ、データ配信承認要求メッセージはネットワークエクスポージャエンティティからネットワークエンティティ９００に送信されるＮＩＤＤ承認要求メッセージ（例えば、図４のプロセス３におけるＳＣＥＦ／ＮＥＦ４０３からＨＳＳ４０５へのＮＩＤＤ承認要求）とすることができる。
【０１８７】
次いで、ネットワークエンティティ９００の取得部９０３はステップＳ３０３において、外部グループＩＤに基づいて、グループ内の各ＵＥのＩＤに関する情報を取得することができる（例えば、図４のプロセス４）。
【０１８８】
一実施形態では、ネットワークエンティティ９００の取得部９０３が検査ユニット及びマッピングユニット（不図示）をさらに含むことができる。検査ユニットは例えば、外部グループＩＤの存在に関して、受信したデータ配信承認要求メッセージを検査するように構成され、マッピングユニットは、例えば、その外部グループＩＤと、データベースに予め定義され、記憶されたグループ内のそれぞれのＵＥの外部ＩＤのリストとの間の対応に関する知識に従って、外部グループＩＤを、グループ内のそれぞれのＵＥの外部ＩＤのリストにマッピングし、外部ＩＤのリスト内の外部ＩＤを、グループ内のそれぞれのＩＭＳＩのリスト及びＭＳＩＳＤＮのリストにマッピングするように構成される。
【０１８９】
したがって、グループ内の各ＵＥのＩＤについての情報は、以下を含み得る：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【０１９０】
ネットワークエンティティ９００のトランシーバ９０１は、ステップＳ３０５において、グループ内のそれぞれのＵＥのＩＤについての情報をネットワークエクスポージャエンティティに送信するようにさらに構成され得る。
【０１９１】
グループ内の各ＵＥのＩＤについての情報は、ネットワークエンティティ９００からネットワークエクスポージャエンティティに送信されるデータ配信承認応答メッセージで送信されてもよい。
【０１９２】
一実施形態では、データは非ＩＰデータであってもよく、データ配信承認応答メッセージはネットワークエンティティ９００からネットワークエクスポージャエンティティに送信されるＮＩＤＤ承認応答メッセージ（例えば、図４のプロセス５におけるＨＳＳ４０５からＳＣＥＦ／ＮＥＦ４０３へのＮＩＤＤ承認応答）である。
【０１９３】
以下では、図１０を参照して、第２のネットワークエンティティの他の構成について説明する。図１０は本開示の例示の実施形態に係るネットワークエンティティ１０００（前述のように、図４に示されるＨＳＳ、例えばＨＳＳ４０５などの第２のネットワークエンティティを指す）の概略構成図を例示的に示す。図１０のネットワークエンティティ１０００は、図３を参照して前述したグループベースのデータ配信設定のための方法３００を実行することができる。したがって、ネットワークエンティティ１０００に関するいくつかの詳細な説明は前述したように、グループベースのデータ配信設定のための方法３００の対応する説明を参照してもよい。
【０１９４】
図１０に示すように、ネットワークエンティティ１０００は例えば、コンピュータプログラム命令を実行することができる任意の好適な中央演算処理装置、ＣＰＵ、マイクロコントローラ、ディジタル信号プロセッサ、ＤＳＰ等を含む少なくとも１つのコントローラ又はプロセッサ１００３を含むことができる。コンピュータのプログラム命令は、メモリ１００５に記憶することができる。メモリ１００５は、ＲＡＭ（ランダムアクセスメモリ）及びＲＯＭ（リードオンリーメモリ）の任意の組み合わせとすることができる。このメモリは例えば、磁気メモリ、光学メモリ若しくはソリッドステートメモリの何れか１つ又はそれらの組合せ、或いはリモートにマウントされたメモリの任意の１つ又は組み合わせである永続的なストレージを含むこともできる。例示的なネットワークエンティティ１０００は、通信のために構成された通信インタフェース１００１をさらに備える。
【０１９５】
命令はメモリ１００５からロードされ、少なくとも１つのプロセッサ１００３によって実行されるとき、ネットワークエンティティ１０００に、前述したように、方法３００を実行させることができる。
【０１９６】
具体的には、命令がメモリ１００５からロードされ、少なくとも１つのプロセッサ１００３によって実行されると、ネットワークエンティティ１０００に、ＳＣＥＦ又はＮＥＦ（例えば、図４に示すＳＣＥＦ／ＮＥＦ４０３）などのネットワークエクスポージャエンティティから、通信インタフェース１００１を介して、ステップＳ３０１でデータが配信されるＵＥのグループを識別する所定の外部グループＩＤを受信させることができる。
【０１９７】
前述したように、外部グループＩＤはＳＣＳ／ＡＳなどの第１のネットワークエンティティ（例えば、図４のＳＣＳ／ＡＳ４０１）及び第２のネットワークエンティティにおいて、例えば第１のネットワークエンティティと第２のネットワークエンティティとの間のサービス合意に基づいて、予め定義されてもよい。ＵＥのグループ化は例えばトラフィック特性、トラフィック要件等に基づいて行うことができ、その結果、同じ特性を有するセンサ、カメラ等のＵＥ、例えばＣＩｏＴデバイスを１つのグループにグループ化することができる。
【０１９８】
外部グループＩＤは、ネットワークエクスポージャエンティティからネットワークエンティティ１０００に送信されるデータ配信承認要求メッセージで受信されてもよい。
【０１９９】
一実施形態では、データは非ＩＰデータとすることができ、データ配信承認要求メッセージはネットワークエクスポージャエンティティからネットワークエンティティ１０００に送信されるＮＩＤＤ承認要求メッセージ（例えば、図４のプロセス３におけるＳＣＥＦ／ＮＥＦ４０３からＨＳＳ４０５へのＮＩＤＤ承認要求）とすることができる。
【０２００】
命令はメモリ１００５からロードされ、少なくとも１つのプロセッサ１００３によって実行されると、ネットワークエンティティ１０００に、ステップＳ３０３で、外部グループＩＤに基づいて、グループ内のそれぞれのＵＥのＩＤについての情報を取得させることができる（例えば、図４のプロセス４）。
【０２０１】
一実施形態では、命令がメモリ１００５からロードされ、少なくとも１つのプロセッサ１００３によって実行されると、ネットワークエンティティ１０００に、例えば、外部グループＩＤの存在に関して、受信されたデータ配信承認リクエストメッセージを検査させ、例えば、外部グループＩＤと、データベースに予め定義され、記憶されたグループ内のそれぞれのＵＥの外部ＩＤのリストとの間の対応に関するその知識に従って、外部グループＩＤをグループ内のそれぞれのＵＥの外部ＩＤのリストにマッピングさせ、外部ＩＤのリスト内の外部ＩＤをそれぞれ、グループ内のそれぞれのＵＥのＩＭＳＩのリスト及びＭＳＩＳＤＮのリストにマッピングさせることができる。
【０２０２】
したがって、グループ内の各ＵＥのＩＤについての情報は、以下を含み得る：
グループのそれぞれのＵＥのＩＭＳＩのリスト及びＭＳＩＳＤＮのリスト、又は、
グループのそれぞれのＵＥのＩＭＳＩのリスト及び外部ＩＤのリスト。
【０２０３】
命令はメモリ１００５からロードされ、少なくとも１つのプロセッサ１００３によって実行されると、ステップＳ３０５で、ネットワークエンティティ１０００に、通信インタフェース１００１を介してネットワークエクスポージャエンティティに、グループ内のそれぞれのＵＥのＩＤについての情報を送信させることができる。
【０２０４】
グループ内の各ＵＥのＩＤについての情報は、ネットワークエンティティ１０００からネットワークエクスポージャエンティティに送信されるデータ配信承認応答メッセージで送信されてもよい。
【０２０５】
一実施形態では、データは非ＩＰデータであってもよく、データ配信承認応答メッセージはネットワークエンティティ１００００からネットワークエクスポージャエンティティに送信されるＮＩＤＤ承認応答メッセージ（例えば、図４のプロセス５におけるＨＳＳ４０５からＳＣＥＦ／ＮＥＦ４０３へのＮＩＤＤ承認応答）である。
【０２０６】
実施形態の前述の記載は例示及び説明を提供するが、網羅的であること、又は例示的な実施形態を開示した正確な形式に限定することを意図するものではない。修正及び変形が上記の教示に照らして可能であり、又は本開示の実施から獲得され得る。
【０２０７】
本開示の態様はまた、方法及び／又はコンピュータプログラムプロダクトとして具現化されてもよい。したがって、本開示は、ハードウェア及び／又はハードウェア／ソフトウェア（ファームウェア、常駐ソフトウェア、マイクロコードなどを含む）で具現化され得る。さらに、本実施形態は、命令実行システムによって、又は命令実行システムに関連して使用するために媒体内に具現化された、コンピュータ使用可能又はコンピュータ読取可能なプログラムコードを有する、コンピュータ使用可能又は読取可能な記憶媒体上のプログラムプロダクトの形態をとることができる。このような命令実行システムは、スタンドアロン又は分散方式で実施することができる。本明細書で説明される実施形態を実施するために使用される実際のソフトウェアコード又は専用の制御ハードウェアは、本開示を限定するものではない。したがって、本態様の動作及び挙動について特定のソフトウェアコードを参照することなく説明したが、当業者は本明細書の説明に基づいて本態様を実現するためにソフトウェア及び制御ハードウェアを設計することができることを理解されたい。
【０２０８】
さらに、本開示の特定の部分は、１つ又は複数の機能を実行する「ロジック」として実装され得る。このロジックは、特定用途向け集積回路又はフィールドプログラマブルゲートアレイなどのハードウェア、又はハードウェアとソフトウェアとの組み合わせを含むことができる。
【０２０９】
本明細書で使用される場合、「備える／備えている」という用語は述べられた特徴、整数、ステップ、構成要素、又はグループの存在を指定すると解釈されるが、１つ又は複数の他の特徴、整数、ステップ、構成要素、又はそれらのグループの存在又は追加を排除しないことを強調すべきである。
【０２１０】
本開示に使用されるいかなる要素、動作、又は命令も、そのように明示的に記載されない限り、本開示にとって重要又は不可欠であると解釈されるべきではない。又、本明細書に使用されている冠詞「ａ」は、１つ又は複数の項目を包含するべく意図されている。１つの項目のみを意図する場合には、「１つの」という用語又は類似した文言が使用されている。さらに、「に基づく」という語句は特に明記しない限り、「に少なくとも部分的に基づく」ことを意味することを意図している。
【０２１１】
前述の説明は本開示の実施形態のみを示し、本開示をいかなる形でも限定することを意図しない。したがって、本開示の精神及び原理内でなされる任意の修正、置換、改良などは、本開示の範囲に包含されるべきである。
【図１】
2021506147.tif 000003
【図２】
2021506147.tif 000004
【図３】
2021506147.tif 000005
【図４】
2021506147.tif 000006
【図５】
2021506147.tif 000007
【図６】
2021506147.tif 000008
【図７】
2021506147.tif 000009
【図８】
2021506147.tif 000010
【図９】
2021506147.tif 000011
【図１０】
2021506147.tif 000012
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
データ配信設定についてのネットワークエクスポージャエンティティ（４０３；７００；８００）における方法（２００）であって、
非ＩＰデータが前記ネットワークエクスポージャエンティティ（７００；８００）によって配信されるユーザ装置（ＵＥ）のグループを識別する予め定義された外部グループＩＤと、ＵＥの前記グループへの前記非ＩＰデータの配信を可能にするＵＥの前記グループに適用される設定を示す予め定義された設定情報とを、非ＩＰデータ配信（ＮＩＤＤ）設定要求メッセージでネットワークエンティティ（４０１；５００；６００）から受信することと（１；Ｓ２０１）、
前記外部グループＩＤをＮＩＤＤ承認要求メッセージで他のネットワークエンティティ（４０５；９００；１０００）へ送信することと（３；Ｓ２０３）、
データ配信承認応答メッセージで前記他のネットワークエンティティ（４０５；９００；１０００）からＵＥの前記グループ内のそれぞれのＵＥのＩＤについての情報を受信することと（５；Ｓ２０５）
を含む、方法。
【請求項２】
請求項１に記載の方法（２００）であって、ＵＥの前記グループへの前記非ＩＰデータの配信を可能にするＵＥの前記グループに適用される前記設定を示す設定情報を記憶することをさらに含む、方法。
【請求項３】
請求項１又は２に記載の方法（２００）であって、さらに、
前記グループのそれぞれのＵＥのＩＤについての情報を前記他のネットワークエンティティ（９００；１０００）から受信することと（５；Ｓ２０５）、
前記グループにおける前記それぞれのＵＥへの前記ネットワークエンティティ（５００；６００）から受信した前記非ＩＰデータのグループベースの配信に使用可能な前記情報を記憶することと（Ｓ２０７）
を含む、方法。
【請求項４】
請求項３に記載の方法（２００）であって、さらに、
前記グループ内の前記それぞれのＵＥに対して、前記記憶された情報に基づいて前記ネットワークエンティティ（５００；６００）から受信した前記非ＩＰデータを送信すること（７；Ｓ２０９）を含む、方法。
【請求項５】
請求項４に記載の方法（２００）であって、前記非ＩＰデータは、前記ネットワークエンティティ（５００；６００）からデータ配信設定要求メッセージで受信される、方法。
【請求項６】
請求項３に記載の方法（２００）であって、
前記情報は、
前記グループの前記それぞれのＵＥの、国際モバイル加入者識別子（ＩＭＳＩ）のリスト及びモバイル局サービス総合デジタル網番号（ＭＳＩＳＤＮ）のリスト、又は、
前記グループの前記それぞれのＵＥのＩＭＳＩのリスト及び外部ＩＤのリスト、を含む、方法。
【請求項７】
請求項６に記載の方法（２００）であって、前記外部ＩＤのリスト内の前記外部ＩＤは前記外部グループＩＤからマッピングされ、前記ＩＭＳＩのリスト及び前記ＭＳＩＳＤＮのリストは前記他のネットワークエンティティによって、前記外部ＩＤからそれぞれマッピングされる、方法。
【請求項８】
請求項１乃至７の何れか１項に記載の方法（２００）であって、前記ネットワークエクスポージャエンティティ（７００；８００）はサービス能力エクスポージャ機能（ＳＣＥＦ）エンティティ又はネットワークエクスポージャ機能（ＮＥＦ）エンティティ（４０３）であり、前記ネットワークエンティティ（５００；６００）はサードパーティサービス能力サーバ／アプリケーションサーバ（ＳＣＳ／ＡＳ）（４０１）であり、前記他のネットワークエンティティ（９００；１０００）は、ホーム加入者サーバ（ＨＳＳ）（４０５）である、方法。
【請求項９】
データ配信設定についてのネットワークエンティティ（４０５；９００；１０００）における方法（３００）であって、
非ＩＰデータが配信されるユーザ装置（ＵＥ）のグループを識別する予め定義された外部グループＩＤを、非ＩＰデータ配信（ＮＩＤＤ）承認要求メッセージでネットワークエクスポージャエンティティ（４０３；７００；８００）から受信することと（３；Ｓ３０１）、
前記外部グループＩＤに基づいてＵＥの前記グループ内のそれぞれのＵＥのＩＤについての情報を取得することと（４；Ｓ３０３）
を含む、方法。
【請求項１０】
請求項９に記載の方法（３００）であって、さらに、
前記グループ内のそれぞれのＵＥのＩＤについての情報を前記ネットワークエクスポージャエンティティ（７００；８００）へ送信すること（５；Ｓ３０５）を含む、方法。
【請求項１１】
請求項９又は１０に記載の方法（３００）であって、前記外部グループＩＤに基いて前記グループ内のそれぞれのＵＥのＩＤについての前記情報を取得すること（４；Ｓ３０３）は、
前記外部グループＩＤを、前記グループ内のそれぞれのＵＥの外部ＩＤのリストへマッピングすることと、
外部ＩＤの前記リストの前記外部ＩＤを、前記グループの前記それぞれのＵＥの、国際モバイル加入者識別子（ＩＭＳＩ）のリスト及びモバイル局サービス総合デジタル網番号（ＭＳＩＳＤＮ）のリストのそれぞれへマッピングすることと
を含む、方法。
【請求項１２】
請求項１１に記載の方法（３００）であって、
前記情報は、
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、
を含む、方法。
【請求項１３】
請求項９乃至１２の何れか１項に記載の方法（３００）であって、前記ネットワークエンティティ（９００；１０００）はホーム加入者サーバ（ＨＳＳ）（４０５）であり、前記ネットワークエクスポージャエンティティ（７００；８００）は、サービス能力エクスポージャ機能（ＳＣＥＦ）エンティティ又はネットワークエクスポージャ機能（ＮＥＦ）エンティティ（４０３）である、方法。
【請求項１４】
ネットワークエクスポージャエンティティ（８００）であって、
通信を行う通信インタフェース（８０１）と、
少なくとも１つのプロセッサ（８０３）と、
前記少なくとも１つのプロセッサ（８０３）によって実行されると、前記ネットワークエクスポージャエンティティ（８００）にデータ配信設定の動作を実行させる命令を含むメモリ（８０５）と、を備え、前記動作は、
データがネットワークエンティティ（５００；６００）によって配信されるユーザ装置（ＵＥ）のグループを識別する予め定義された外部グループＩＤと、ＵＥの前記グループへの前記データの配信を可能にするＵＥの前記グループに適用される設定を示す予め定義された設定情報とを、前記通信インタフェース（８０１）を介して前記ネットワークエンティティ（５００；６００）から受信することと、
前記外部グループＩＤを他のネットワークエンティティ（９００；１０００）へ前記通信インタフェース（８０１）を介して送信することと
を含む、ネットワークエクスポージャエンティティ。
【請求項１５】
請求項１４に記載のネットワークエクスポージャエンティティ（８００）であって、前記命令は、前記少なくとも１つのプロセッサ（８０３）によって実行されると、前記ネットワークエンティティ（８００）に、さらに、
ＵＥの前記グループへの前記データの前記配信を可能にするＵＥの前記グループに適用される前記設定を示す前記設定情報を記憶させる、ネットワークエクスポージャエンティティ。
【請求項１６】
請求項１４又は１５に記載のネットワークエクスポージャエンティティ（８００）であって、前記命令は、前記少なくとも１つのプロセッサ（８０３）によって実行されると、前記ネットワークエンティティ（８００）に、さらに、
前記グループ内のそれぞれのＵＥのＩＤについての情報を、前記他のネットワークエンティティ（４０５；９００；１０００）から前記通信インタフェース（８０１）を介して受信させ、
前記グループ内の前記それぞれのＵＥへの前記ネットワークエンティティ（５００；６００）から受信したデータのグループベースの配信に使用可能な前記情報を記憶させる、ネットワークエクスポージャエンティティ。
【請求項１７】
請求項１６に記載のネットワークエクスポージャエンティティ（８００）であって、前記命令は、前記少なくとも１つのプロセッサ（８０３）によって実行されると、前記ネットワークエンティティ（８００）に、さらに、
前記グループ内の前記それぞれのＵＥに対して、前記記憶された情報に基づいて前記ネットワークエンティティ（５００；６００）から受信した前記データを、前記通信インタフェース（８０１）を介して送信させる、ネットワークエクスポージャエンティティ。
【請求項１８】
請求項１６に記載のネットワークエクスポージャエンティティ（８００）であって、前記データは、前記ネットワークエンティティ（５００；６００）からデータ配信設定要求メッセージで受信される、ネットワークエクスポージャエンティティ。
【請求項１９】
請求項１６に記載のネットワークエクスポージャエンティティ（８００）であって、
前記情報は、
前記グループの前記それぞれのＵＥの、国際モバイル加入者識別子（ＩＭＳＩ）のリスト及びモバイル局サービス総合デジタル網番号（ＭＳＩＳＤＮ）のリスト、又は、
前記グループの前記それぞれのＵＥのＩＭＳＩのリスト及び外部ＩＤのリスト、を含む、ネットワークエクスポージャエンティティ。
【請求項２０】
請求項１９に記載のネットワークエクスポージャエンティティ（８００）であって、前記外部ＩＤのリスト内の前記外部ＩＤは前記外部グループＩＤからマッピングされ、前記ＩＭＳＩのリスト及び前記ＭＳＩＳＤＮのリストは前記他のネットワークエンティティ（４０５；９００；１０００）によって前記外部ＩＤからそれぞれマッピングされる、ネットワークエクスポージャエンティティ。
【請求項２１】
請求項１４乃至２０の何れか１項に記載のネットワークエクスポージャエンティティ（８００）であって、前記ネットワークエクスポージャエンティティ（８００）はサービス能力エクスポージャ機能（ＳＣＥＦ）エンティティ又はネットワークエクスポージャ機能（ＮＥＦ）エンティティ（４０３）であり、前記ネットワークエンティティ（５００；６００）はサードパーティサービス能力サーバ／アプリケーションサーバ（ＳＣＳ／ＡＳ）（４０１）であり、前記他のネットワークエンティティ（９００；１０００）は、ホーム加入者サーバ（ＨＳＳ）（４０５）である、ネットワークエクスポージャエンティティ。
【請求項２２】
ネットワークエンティティ（１０００）であって、
通信を行う通信インタフェース（１００１）と、
少なくとも１つのプロセッサ（１００３）と、
前記少なくとも１つのプロセッサによって実行されると、前記ネットワークエンティティにデータ配信設定の動作を実行させる命令を含むメモリ（１００５）と、を備え、前記動作は、
データが配信されるユーザ装置（ＵＥ）のグループを識別する予め定義された外部グループＩＤを前記通信インタフェース（１００１）を介してネットワークエクスポージャエンティティ（７００；８００）から受信することと、
前記外部グループＩＤに基づいて前記グループ内のそれぞれのＵＥのＩＤについての情報を取得することと
を含む、ネットワークエンティティ。
【請求項２３】
請求項２２に記載のネットワークエンティティ（１０００）であって、前記命令は、前記少なくとも１つのプロセッサ（１００３）によって実行されると、前記ネットワークエンティティ（１０００）に、さらに、
前記グループ内のそれぞれのＵＥのＩＤについての情報を前記ネットワークエクスポージャエンティティ（７００；８００）へ送信させる、ネットワークエンティティ。
【請求項２４】
請求項２２又は２３に記載のネットワークエンティティ（１０００）であって、前記命令は、前記少なくとも１つのプロセッサ（１００３）によって実行されると、前記ネットワークエンティティ（１０００）を、前記外部グループＩＤに基づいて、前記グループ内のそれぞれのＵＥのＩＤについての情報を取得させ、さらに、前記ネットワークエンティティ（１０００）に、
前記外部グループＩＤを、前記グループ内のそれぞれのＵＥの外部ＩＤのリストへマッピングさせ、
外部ＩＤの前記リストの前記外部ＩＤを、前記グループの前記それぞれのＵＥの、国際モバイル加入者識別子（ＩＭＳＩ）のリスト及びモバイル局サービス総合デジタル網番号（ＭＳＩＳＤＮ）のリストのそれぞれへマッピングさせる、
ネットワークエンティティ。
【請求項２５】
請求項２４に記載のネットワークエンティティ（１０００）であって、
前記情報は、
前記グループの前記それぞれのＵＥのＩＭＳＩの前記リスト及びＭＳＩＳＤＮの前記リスト、又は、
前記グループの前記それぞれのＵＥのＩＭＳＩの前記リスト及び外部ＩＤの前記リスト、
を含む、ネットワークエンティティ。
【請求項２６】
請求項２２乃至２５の何れか１項に記載のネットワークエンティティ（１０００）であって、前記ネットワークエンティティ（１０００）はホーム加入者サーバ（ＨＳＳ）（４０５）であり、前記ネットワークエクスポージャエンティティ（７００；８００）はサービス能力エクスポージャ機能（ＳＣＥＦ）エンティティ又はネットワークエクスポージャ機能（ＮＥＦ）エンティティ（４０３）である、ネットワークエンティティ。
【国際調査報告】
2021506147.tif 000013
2021506147.tif 000014